(57)【特許請求の範囲】
【請求項１】
物体側から順に、
負の屈折力を有する第１レンズ群と、
正の屈折力を有する第２レンズ群と、を有し、
最短焦点距離状態から最長焦点距離状態への変倍時に、前記第１レンズ群と前記第２レンズ群との間隔が変化し、
前記第２レンズ群の一部は合焦レンズ群であり、合焦時に、前記合焦レンズ群が光軸上を移動し、
次式の条件を満足することを特徴とする魚眼ズームレンズ。
０．５０  ＜  Ｙｗ／｛２×ｆｗ×ｓｉｎ（θｗ／２）｝  ＜  ２．５０
θｗ  ≧  ７０［°］
但し、
Ｙｗ：最短焦点距離状態における最大像高
ｆｗ：最短焦点距離状態における全系の焦点距離
θｗ：最短焦点距離状態における最大撮影半画角
【請求項２】
物体側から順に、
負の屈折力を有する第１レンズ群と、
正の屈折力を有する第２レンズ群と、を有し、
最短焦点距離状態から最長焦点距離状態への変倍時に、前記第１レンズ群と前記第２レンズ群との間隔が変化し、
前記第２レンズ群の一部は合焦レンズ群であり、合焦時に、前記合焦レンズ群が光軸上を移動し、
次式の条件を満足することを特徴とする魚眼ズームレンズ。
０．５０  ＜  Ｙｔ／｛２×ｆｔ×ｓｉｎ（θｔ／２）｝  ＜  ２．５０
θｔ  ≧  ７０［°］
但し、
Ｙｔ：最長焦点距離状態における最大像高
ｆｔ：最長焦点距離状態における全系の焦点距離
θｔ：最長焦点距離状態における最大撮影半画角
【請求項３】
物体側から順に、
負の屈折力を有する第１レンズ群と、
正の屈折力を有する第２レンズ群と、を有し、
最短焦点距離状態から最長焦点距離状態への変倍時に、前記第１レンズ群と前記第２レンズ群との間隔が変化し、
前記第２レンズ群の一部は合焦レンズ群であり、合焦時に、前記合焦レンズ群が光軸上を移動し、
次式の条件を満足することを特徴とする魚眼ズームレンズ。
１．８０  ＜  ｆ２／（−ｆ１）  ＜  ３．２０
３．５  ＜  Ｂｆｗ／ｆｗ  ＜  ８．０
但し、
ｆ１：前記第１レンズ群の焦点距離
ｆ２：前記第２レンズ群の焦点距離
Ｂｆｗ：最短焦点距離状態におけるバックフォーカス
ｆｗ：最短焦点距離状態における全系の焦点距離
【請求項４】
物体側から順に、
負の屈折力を有する第１レンズ群と、
正の屈折力を有する第２レンズ群と、を有し、
最短焦点距離状態から最長焦点距離状態への変倍時に、前記第１レンズ群と前記第２レンズ群との間隔が変化し、
前記第２レンズ群の一部は合焦レンズ群であり、合焦時に、前記合焦レンズ群が光軸上を移動し、
次式の条件を満足することを特徴とする魚眼ズームレンズ。
１．８０  ＜  ｆ２／（−ｆ１）  ＜  ３．２０
θｗ  ≧  ７０［°］
但し、
ｆ１：前記第１レンズ群の焦点距離
ｆ２：前記第２レンズ群の焦点距離
θｗ：最短焦点距離状態における最大撮影半画角
【請求項５】
物体側から順に、
負の屈折力を有する第１レンズ群と、
正の屈折力を有する第２レンズ群と、を有し、
最短焦点距離状態から最長焦点距離状態への変倍時に、前記第１レンズ群と前記第２レンズ群との間隔が変化し、
前記第２レンズ群の一部は合焦レンズ群であり、合焦時に、前記合焦レンズ群が光軸上を移動し、
次式の条件を満足することを特徴とする魚眼ズームレンズ。
１２．０  ＜  ＴＬｗ／ｆｗ  ＜  １８．０
θｗ  ≧  ７０［°］
但し、
ＴＬｗ：最短焦点距離状態における光学全長
ｆｗ：最短焦点距離状態における全系の焦点距離
θｗ：最短焦点距離状態における最大撮影半画角
【請求項６】
次式の条件を満足することを特徴とする請求項２〜５のいずれか一項に記載の魚眼ズームレンズ。
０．５０  ＜  Ｙｗ／｛２×ｆｗ×ｓｉｎ（θｗ／２）｝  ＜  ２．５０
但し、
Ｙｗ：最短焦点距離状態における最大像高
ｆｗ：最短焦点距離状態における全系の焦点距離
θｗ：最短焦点距離状態における最大撮影半画角
【請求項７】
次式の条件を満足することを特徴とする請求項２または３に記載の魚眼ズームレンズ。
θｗ  ≧  ５０［°］
但し、
θｗ：最短焦点距離状態における最大撮影半画角
【請求項８】
次式の条件を満足することを特徴とする請求項１、３、４、５のいずれか一項に記載の魚眼ズームレンズ。
θｔ  ≧  ５０［°］
但し、
θｔ：最長焦点距離状態における最大撮影半画角
【請求項９】
次式の条件を満足することを特徴とする請求項１、３、４、５のいずれか一項に記載の魚眼ズームレンズ。
０．５０  ＜  Ｙｔ／｛２×ｆｔ×ｓｉｎ（θｔ／２）｝  ＜  ２．５０
但し、
Ｙｔ：最長焦点距離状態における最大像高
ｆｔ：最長焦点距離状態における全系の焦点距離
θｔ：最長焦点距離状態における最大撮影半画角
【請求項１０】
次式の条件を満足することを特徴とする請求項１、２、４、５のいずれか一項に記載の魚眼ズームレンズ。
３．５  ＜  Ｂｆｗ／ｆｗ  ＜  ８．０
但し、
Ｂｆｗ：最短焦点距離状態におけるバックフォーカス
ｆｗ：最短焦点距離状態における全系の焦点距離
【請求項１１】
最短焦点距離状態と最長焦点距離状態とで異なる大きさの最大像高を有することを特徴とする請求項１〜１０のいずれか一項に記載の魚眼ズームレンズ。
【請求項１２】
前記第２レンズ群は、物体側から順に、
第２Ａレンズ群と、
第２Ｂレンズ群と、を有し、
合焦時に、前記第２Ａレンズ群と前記第２Ｂレンズ群との間隔が変化するように、前記第２Ａレンズ群の少なくとも像側の一部が前記合焦レンズ群として光軸上を移動することを特徴とする請求項１〜１１のいずれか一項に記載の魚眼ズームレンズ。
【請求項１３】
前記第２Ａレンズ群は、負レンズと正レンズとを少なくともそれぞれ１枚有し、
次式の条件を満足することを特徴とする請求項１２に記載の魚眼ズームレンズ。
０．０１  ＜  ｎｄ２ａｎ１−ｎｄ２ａｐ１  ＜  ０．５０
但し、
ｎｄ２ａｐ１：前記第２Ａレンズ群が有する正レンズの媒質のｄ線に対する屈折率の平均値
ｎｄ２ａｎ１：前記第２Ａレンズ群が有する負レンズの媒質のｄ線に対する屈折率の平均値
【請求項１４】
前記第２Ａレンズ群は、負レンズと正レンズとを少なくともそれぞれ１枚有し、
次式の条件を満足することを特徴する請求項１２または１３に記載の魚眼ズームレンズ。
−１０．０  ＜  νｄ２ａｐ１−νｄ２ａｎ１  ＜  ３０．０
但し、
νｄ２ａｐ１：前記第２Ａレンズ群が有する正レンズの媒質のｄ線に対するアッベ数の平均値
νｄ２ａｎ１：前記第２Ａレンズ群が有する負レンズの媒質のｄ線に対するアッベ数の平均値
【請求項１５】
次式の条件を満足することを特徴とする請求項１２〜１４のいずれか一項に記載の魚眼ズームレンズ。
１．００  ＜  ｜ｆ２Ａ１｜／（−ｆ１）  ＜  ２５．００
但し、
ｆ２Ａ１：前記第２Ａレンズ群の焦点距離
ｆ１：前記第１レンズ群の焦点距離
【請求項１６】
次式の条件を満足することを特徴とする請求項１２〜１５のいずれか一項に記載の魚眼ズームレンズ。
１．００  ＜  ｜ｆ２Ｂ１｜／（−ｆ１）  ＜  ７．５０
但し、
ｆ２Ｂ１：前記第２Ｂレンズ群の焦点距離
ｆ１：前記第１レンズ群の焦点距離
【請求項１７】
次式の条件を満足することを特徴とする請求項１〜１６のいずれか一項に記載の魚眼ズームレンズ。
１．００  ＜  ｜ｆ２Ｆ｜／（−ｆ１）  ＜  ６．００
但し、
ｆ２Ｆ：前記合焦レンズ群の焦点距離
ｆ１：前記第１レンズ群の焦点距離
【請求項１８】
次式の条件を満足することを特徴とする請求項１〜１７のいずれか一項に記載の魚眼ズームレンズ。
０．８０  ＜  （ｒ１＋ｒ２）／（ｒ１−ｒ２）  ＜  ２．３０
但し、
ｒ１：前記第１レンズ群の最も物体側のレンズの物体側のレンズ面の曲率半径
ｒ２：前記第１レンズ群の最も物体側のレンズの像側のレンズ面の曲率半径
【請求項１９】
光軸が全系に亘って直線状であることを特徴とする請求項１〜１８のいずれか一項に記載の魚眼ズームレンズ。
【請求項２０】
屈折系でのみ構成されていることを特徴とする請求項１〜１９のいずれか一項に記載の魚眼ズームレンズ。
【請求項２１】
請求項１〜２０のいずれか一項に記載の魚眼ズームレンズを有することを特徴とする光学機器。
【発明の詳細な説明】
【技術分野】
【０００１】
本発明は、魚眼ズームレンズ及び光学機器に関する。
【背景技術】
【０００２】
従来、複数の画面サイズのカメラで１７０度以上の対角画角が実現可能な魚眼ズームレンズが提案されている（例えば、特許文献１参照）。しかしながら、特許文献１は、さらなる光学性能の向上が要望されているという課題があった。
【先行技術文献】
【特許文献】
【０００３】
【特許文献１】特開２０１２−０２２１０９号公報
【発明の概要】
【０００４】
本発明の第一の態様に係る魚眼ズームレンズは、物体側から順に、負の屈折力を有する第１レンズ群と、正の屈折力を有する第２レンズ群と、を有し、最短焦点距離状態から最長焦点距離状態への変倍時に、第１レンズ群と第２レンズ群との間隔が変化し、第２レンズ群の一部は合焦レンズ群であり、合焦時に、合焦レンズ群が光軸上を移動し、次式の条件を満足することを特徴とする。
０．５０  ＜  Ｙｗ／｛２×ｆｗ×ｓｉｎ（θｗ／２）｝  ＜  ２．５０
θｗ  ≧  ７０［°］
但し、
Ｙｗ：最短焦点距離状態における最大像高
ｆｗ：最短焦点距離状態における全系の焦点距離
θｗ：最短焦点距離状態における最大撮影半画角
【０００５】
本発明の第二の態様に係る魚眼ズームレンズは、物体側から順に、負の屈折力を有する第１レンズ群と、正の屈折力を有する第２レンズ群と、を有し、最短焦点距離状態から最長焦点距離状態への変倍時に、第１レンズ群と第２レンズ群との間隔が変化し、第２レンズ群の一部は合焦レンズ群であり、合焦時に、合焦レンズ群が光軸上を移動し、次式の条件を満足することを特徴とする。
０．５０  ＜  Ｙｔ／｛２×ｆｔ×ｓｉｎ（θｔ／２）｝  ＜  ２．５０
θｔ  ≧  ７０［°］
但し、
Ｙｔ：最長焦点距離状態における最大像高
ｆｔ：最長焦点距離状態における全系の焦点距離
θｔ：最長焦点距離状態における最大撮影半画角
本発明の第三の態様に係る魚眼ズームレンズは、物体側から順に、負の屈折力を有する第１レンズ群と、正の屈折力を有する第２レンズ群と、を有し、最短焦点距離状態から最長焦点距離状態への変倍時に、第１レンズ群と第２レンズ群との間隔が変化し、第２レンズ群の一部は合焦レンズ群であり、合焦時に、合焦レンズ群が光軸上を移動し、次式の条件を満足することを特徴とする。
１．８０  ＜  ｆ２／（−ｆ１）  ＜  ３．２０
３．５  ＜  Ｂｆｗ／ｆｗ  ＜  ８．０
但し、
ｆ１：第１レンズ群の焦点距離
ｆ２：第２レンズ群の焦点距離
Ｂｆｗ：最短焦点距離状態におけるバックフォーカス
ｆｗ：最短焦点距離状態における全系の焦点距離
本発明の第四の態様に係る魚眼ズームレンズは、物体側から順に、負の屈折力を有する第１レンズ群と、正の屈折力を有する第２レンズ群と、を有し、最短焦点距離状態から最長焦点距離状態への変倍時に、第１レンズ群と第２レンズ群との間隔が変化し、第２レンズ群の一部は合焦レンズ群であり、合焦時に、合焦レンズ群が光軸上を移動し、次式の条件を満足することを特徴とする。
１．８０  ＜  ｆ２／（−ｆ１）  ＜  ３．２０
θｗ  ≧  ７０［°］
但し、
ｆ１：第１レンズ群の焦点距離
ｆ２：第２レンズ群の焦点距離
θｗ：最短焦点距離状態における最大撮影半画角
本発明の第五の態様に係る魚眼ズームレンズは、物体側から順に、負の屈折力を有する第１レンズ群と、正の屈折力を有する第２レンズ群と、を有し、最短焦点距離状態から最長焦点距離状態への変倍時に、第１レンズ群と第２レンズ群との間隔が変化し、第２レンズ群の一部は合焦レンズ群であり、合焦時に、合焦レンズ群が光軸上を移動し、次式の条件を満足することを特徴とする。
１２．０  ＜  ＴＬｗ／ｆｗ  ＜  １８．０
θｗ  ≧  ７０［°］
但し、
ＴＬｗ：最短焦点距離状態における光学全長
ｆｗ：最短焦点距離状態における全系の焦点距離
θｗ：最短焦点距離状態における最大撮影半画角
【図面の簡単な説明】
【０００６】
【図１】第１実施例に係る魚眼ズームレンズのレンズ構成を示す断面図である。
【図２】第１実施例に係る魚眼ズームレンズの最短焦点距離状態の諸収差図であって、（ａ）は無限遠合焦状態を示し、（ｂ）は近距離合焦状態を示す。
【図３】第１実施例に係る魚眼ズームレンズの最長焦点距離状態の諸収差図であって、（ａ）は無限遠合焦状態を示し、（ｂ）は近距離合焦状態を示す。
【図４】第２実施例に係る魚眼ズームレンズのレンズ構成を示す断面図である。
【図５】第２実施例に係る魚眼ズームレンズの最短焦点距離状態の諸収差図であって、（ａ）は無限遠合焦状態を示し、（ｂ）は近距離合焦状態を示す。
【図６】第２実施例に係る魚眼ズームレンズの最長焦点距離状態の諸収差図であって、（ａ）は無限遠合焦状態を示し、（ｂ）は近距離合焦状態を示す。
【図７】第３実施例に係る魚眼ズームレンズのレンズ構成を示す断面図である。
【図８】第３実施例に係る魚眼ズームレンズの最短焦点距離状態の諸収差図であって、（ａ）は無限遠合焦状態を示し、（ｂ）は近距離合焦状態を示す。
【図９】第３実施例に係る魚眼ズームレンズの最長焦点距離状態の諸収差図であって、（ａ）は無限遠合焦状態を示し、（ｂ）は近距離合焦状態を示す。
【図１０】第４実施例に係る魚眼ズームレンズのレンズ構成を示す断面図である。
【図１１】第４実施例に係る魚眼ズームレンズの最短焦点距離状態の諸収差図であって、（ａ）は無限遠合焦状態を示し、（ｂ）は近距離合焦状態を示す。
【図１２】第４実施例に係る魚眼ズームレンズの最長焦点距離状態の諸収差図であって、（ａ）は無限遠合焦状態を示し、（ｂ）は近距離合焦状態を示す。
【図１３】第５実施例に係る魚眼ズームレンズのレンズ構成を示す断面図である。
【図１４】第５実施例に係る魚眼ズームレンズの最短焦点距離状態の諸収差図であって、（ａ）は無限遠合焦状態を示し、（ｂ）は近距離合焦状態を示す。
【図１５】第５実施例に係る魚眼ズームレンズの最長焦点距離状態の諸収差図であって、（ａ）は無限遠合焦状態を示し、（ｂ）は近距離合焦状態を示す。
【図１６】第６実施例に係る魚眼ズームレンズのレンズ構成を示す断面図である。
【図１７】第６実施例に係る魚眼ズームレンズの最短焦点距離状態の諸収差図であって、（ａ）は無限遠合焦状態を示し、（ｂ）は近距離合焦状態を示す。
【図１８】第６実施例に係る魚眼ズームレンズの最長焦点距離状態の諸収差図であって、（ａ）は無限遠合焦状態を示し、（ｂ）は近距離合焦状態を示す。
【図１９】第７実施例に係る魚眼ズームレンズのレンズ構成を示す断面図である。
【図２０】第７実施例に係る魚眼ズームレンズの最短焦点距離状態の諸収差図であって、（ａ）は無限遠合焦状態を示し、（ｂ）は近距離合焦状態を示す。
【図２１】第７実施例に係る魚眼ズームレンズの最長焦点距離状態の諸収差図であって、（ａ）は無限遠合焦状態を示し、（ｂ）は近距離合焦状態を示す。
【図２２】第８実施例に係る魚眼ズームレンズのレンズ構成を示す断面図である。
【図２３】第８実施例に係る魚眼ズームレンズの最短焦点距離状態の諸収差図であって、（ａ）は無限遠合焦状態を示し、（ｂ）は近距離合焦状態を示す。
【図２４】第８実施例に係る魚眼ズームレンズの最長焦点距離状態の諸収差図であって、（ａ）は無限遠合焦状態を示し、（ｂ）は近距離合焦状態を示す。
【図２５】上記魚眼ズームレンズを搭載するカメラの断面図である。
【図２６】上記魚眼ズームレンズの製造方法を説明するためのフローチャートである。
【発明を実施するための形態】
【０００７】
以下、本発明の好ましい実施形態について図面を参照して説明する。図１に示すように、本実施形態に係る魚眼ズームレンズＺＬは、物体側から順に、負の屈折力を有する第１レンズ群Ｇ１と、正の屈折力を有する第２レンズ群Ｇ２と、を有して構成されている。また、この魚眼ズームレンズＺＬは、最短焦点距離状態から最長焦点距離状態への変倍時に、第１レンズ群Ｇ１と第２レンズ群Ｇ２との間隔が変化する。また、この魚眼ズームレンズＺＬは、合焦時に、第２レンズ群Ｇ２の一部が合焦レンズ群Ｇ２Ｆとして光軸上を移動する。このように構成することにより、最短焦点距離状態でバックフォーカスを確保しつつ、所定の変倍比を得た上で、良好な光学性能を得ることができる。
【０００８】
また、本実施形態に係る魚眼ズームレンズＺＬは、以下に示す条件式（１）を満足することが望ましい。
【０００９】
０．５０  ＜  Ｙｗ／｛２×ｆｗ×ｓｉｎ（θｗ／２）｝  ＜  ２．５０    （１）
但し、
Ｙｗ：最短焦点距離状態における最大像高
ｆｗ：最短焦点距離状態における全系の焦点距離
θｗ：最短焦点距離状態における最大撮影半画角
【００１０】
条件式（１）は、最短焦点距離状態における、焦点距離と画角に対する、像の大きさの比率を規定している。この条件式（１）を満足することで、等立体角射影方式の魚眼ズームレンズを提供することができる。この条件式（１）の下限値を下回ると、等立体角射影方式に対する歪曲収差がマイナス側に発生するため好ましくない。なお、この条件式（１）による効果を確実にするために、条件式(１）の下限値を０．８０とすることが望ましい。また、この条件式（１）による効果を更に確実にするために、条件式（１）の下限値を０．９０とすることが望ましい。また、この条件式（１）による効果を更に確実にするために、条件式（１）の下限値を０．９５とすることが望ましい。また、条件式（１）の上限値を上回ると、等立体角射影方式に対する歪曲収差がプラス側に発生するため好ましくない。なお、この条件式（１）による効果を確実にするために、条件式(１）の上限値を２．２０とすることが望ましい。また、この条件式（１）による効果を更に確実にするために、条件式（１）の上限値を２．００とすることが望ましい。また、この条件式（１）による効果を更に確実にするために、条件式（１）の上限値を１．５０とすることが望ましい。また、この条件式（１）による効果を更に確実にするために、条件式（１）の上限値を１．２０とすることが望ましい。
【００１１】
また、本実施形態に係る魚眼ズームレンズＺＬは、以下に示す条件式（２）を満足することが望ましい。
【００１２】
０．５０  ＜  Ｙｔ／｛２×ｆｔ×ｓｉｎ（θｔ／２）｝  ＜  ２．５０    （２）
但し、
Ｙｔ：最長焦点距離状態における最大像高
ｆｔ：最長焦点距離状態における全系の焦点距離
θｔ：最長焦点距離状態における最大撮影半画角
【００１３】
条件式（２）は、最長焦点距離状態における、焦点距離と画角に対する、像の大きさの比率を規定している。この条件式（２）を満足することで、等立体角射影方式の魚眼ズームレンズを提供することができる。この条件式（２）の下限値を下回ると、等立体角射影方式に対する歪曲収差がマイナス側に発生するため好ましくない。なお、この条件式（２）による効果を確実にするために、条件式(２）の下限値を０．８０とすることが望ましい。また、この条件式（２）による効果を更に確実にするために、条件式（２）の下限値を０．９０とすることが望ましい。また、この条件式（２）による効果を更に確実にするために、条件式（２）の下限値を０．９５とすることが望ましい。また、条件式（２）の上限値を上回ると、等立体角射影方式に対する歪曲収差がプラス側に発生するため好ましくない。なお、この条件式（２）による効果を確実にするために、条件式(２）の上限値を２．２０とすることが望ましい。また、この条件式（２）による効果を更に確実にするために、条件式（２）の上限値を２．００とすることが望ましい。また、この条件式（２）による効果を更に確実にするために、条件式（２）の上限値を１．５０とすることが望ましい。また、この条件式（２）による効果を更に確実にするために、条件式（２）の上限値を１．２０とすることが望ましい。
【００１４】
また、本実施形態に係る魚眼ズームレンズＺＬは、最短焦点距離状態と最長焦点距離状態とで異なる大きさの最大像高を有することが望ましい。このように構成することにより、いわゆる円形魚眼や対角線魚眼の撮影が、様々なフォーマットサイズにおいて可能となる。
【００１５】
また、本実施形態に係る魚眼ズームレンズＺＬは、以下に示す条件式（３）を満足することが望ましい。
【００１６】
θｗ  ≧  ５０［°］                                                （３）
但し、
θｗ：最短焦点距離状態における最大撮影半画角
【００１７】
この条件式（３）を満足することで、いわゆる円形魚眼や対角線魚眼の撮影が、様々なフォーマットサイズにおいて可能となる。なお、この条件式（３）による効果を確実にするために、条件式(３）の下限値を６０［°］とすることが望ましい。また、この条件式（３）による効果を更に確実にするために、条件式（３）の下限値を７０［°］とすることが望ましい。また、この条件式（３）による効果を更に確実にするために、条件式（３）の下限値を８０［°］とすることが望ましい。また、この条件式（３）による効果を更に確実にするために、条件式（３）の下限値を８５［°］とすることが望ましい。
【００１８】
また、本実施形態に係る魚眼ズームレンズＺＬは、以下に示す条件式（４）を満足することが望ましい。
【００１９】
θｔ  ≧  ５０［°］                                                （４）
但し、
θｔ：最長焦点距離状態における最大撮影半画角
【００２０】
この条件式（４）を満足することで、いわゆる円形魚眼や対角線魚眼の撮影が、様々なフォーマットサイズにおいて可能となる。なお、この条件式（４）による効果を確実にするために、条件式(４）の下限値を６０［°］とすることが望ましい。また、この条件式（４）による効果を更に確実にするために、条件式（４）の下限値を７０［°］とすることが望ましい。また、この条件式（４）による効果を更に確実にするために、条件式（４）の下限値を８０［°］とすることが望ましい。また、この条件式（４）による効果を更に確実にするために、条件式（４）の下限値を８５［°］とすることが望ましい。
【００２１】
また、本実施形態に係る魚眼ズームレンズＺＬにおいて、第２レンズ群Ｇ２は、物体側から順に、第２Ａレンズ群Ｇ２Ａと、第２Ｂレンズ群Ｇ２Ｂと、を有し、合焦時に、第２Ａレンズ群Ｇ２Ａと第２Ｂレンズ群Ｇ２Ｂとの間隔が変化するように、第２Ａレンズ群ＧＡの少なくとも像側の一部、または、第２Ｂレンズ群Ｇ２Ｂの物体側の一部が合焦レンズ群Ｇ２Ｆとして光軸上を移動するように構成されることが望ましい。このように構成することにより、小型の合焦レンズ群Ｇ２Ｆでありながら合焦時に良好な光学性能を得ることができる。
【００２２】
また、本実施形態に係る魚眼ズームレンズＺＬは、無限遠から近距離物体への合焦時に、第２Ａレンズ群Ｇ２Ａの少なくとも像側の一部が合焦レンズ群Ｇ２Ｆとして物体側から像側に移動するように構成されていることが望ましい。このように構成することにより、小型の合焦群でありながら、合焦時に良好な光学性能を得ることができる。
【００２３】
あるいは、本実施形態に係る魚眼ズームレンズＺＬは、無限遠から近距離物体への合焦時に、第２Ｂレンズ群Ｇ２Ｂの物体側の一部が合焦レンズ群Ｇ２Ｆとして像側から物体側に移動するように構成されていることが望ましい。このように構成することにより、小型の合焦群でありながら、合焦時に良好な光学性能を得ることができる。
【００２４】
また、本実施形態に係る魚眼ズームレンズＺＬにおいて、第２Ａレンズ群Ｇ２Ａは、負レンズを少なくとも１枚有していることが望ましい。このように構成することにより、最短焦点距離状態から最長焦点距離状態にわたって、合焦時の球面収差と像面湾曲の収差変動を良好に補正することができる。
【００２５】
また、本実施形態に係る魚眼ズームレンズＺＬは、第２Ａレンズ群Ｇ２Ａが正レンズを少なくとも１枚有し、以下に示す条件式（５）を満足することが望ましい。
【００２６】
０．０１  ＜  ｎｄ２ａｎ１−ｎｄ２ａｐ１  ＜  ０．５０              （５）
但し、
ｎｄ２ａｐ１：第２Ａレンズ群Ｇ２Ａが有する正レンズの媒質のｄ線に対する屈折率の平均値
ｎｄ２ａｎ１：第２Ａレンズ群Ｇ２Ａが有する負レンズの媒質のｄ線に対する屈折率の平均値
【００２７】
条件式（５）は、第２Ａレンズ群Ｇ２Ａの正レンズと負レンズの媒質のｄ線に対する屈折率の差を規定している。この条件式（５）の下限値を下回ると、第２Ａレンズ群Ｇ２Ａ内の像面湾曲の補正が不足し、最長焦点距離状態での合焦時の像面湾曲の補正が困難となるため好ましくない。なお、この条件式（５）による効果を確実にするために、条件式(５）の下限値を０．０２とすることが望ましい。また、この条件式（５）による効果を更に確実にするために、条件式（５）の下限値を０．０５とすることが望ましい。また、条件式（５）の上限値を上回ると、第２Ａレンズ群Ｇ２Ａ内の像面湾曲の補正が過剰となり、最長焦点距離状態での無限合焦時の像面湾曲の補正が困難となるため好ましくない。なお、この条件式（５）による効果を確実にするために、条件式(５）の上限値を０．３０とすることが望ましい。また、この条件式（５）による効果を更に確実にするために、条件式（５）の上限値を０．２５とすることが望ましい。
【００２８】
また、本実施形態に係る魚眼ズームレンズＺＬは、第２Ａレンズ群Ｇ２Ａが正レンズを少なくとも１枚有し、以下に示す条件式（６）を満足することが望ましい。
【００２９】
−１０．０  ＜  νｄ２ａｐ１−νｄ２ａｎ１  ＜  ３０．０            （６）
但し、
νｄ２ａｐ１：第２Ａレンズ群Ｇ２Ａが有する正レンズの媒質のｄ線に対するアッベ数の平均値
νｄ２ａｎ１：第２Ａレンズ群Ｇ２Ａが有する負レンズの媒質のｄ線に対するアッベ数の平均値
【００３０】
条件式（６）は、第２Ａレンズ群Ｇ２Ａの正レンズと負レンズの媒質のｄ線に対するアッベ数の差を規定している。この条件式（６）の下限値を下回ると、第２Ａレンズ群Ｇ２Ａ内の軸上色収差の補正が不足し、最長焦点距離状態での合焦時の軸上色収差の補正が困難となり好ましくない。なお、この条件式（６）による効果を確実にするために、条件式(６）の下限値を−７．０とすることが望ましい。また、この条件式（６）による効果を更に確実にするために、条件式（６）の下限値を−４．５とすることが望ましい。また、条件式（６）の上限値を上回ると、第２Ａレンズ群Ｇ２Ａ内の軸上色収差の補正が過剰となり、最長焦点距離状態での無限合焦時の軸上色収差の補正が困難となり好ましくない。なお、この条件式（６）による効果を確実にするために、条件式(６）の上限値を２０．０とすることが望ましい。また、この条件式（６）による効果を更に確実にするために、条件式（６）の上限値を１８．０とすることが望ましい。また、この条件式（６）による効果を更に確実にするために、条件式（６）の上限値を１７．５とすることが望ましい。
【００３１】
また、本実施形態に係る魚眼ズームレンズＺＬは、第１レンズ群Ｇ１と第２Ｂレンズ群Ｇ２Ｂとの間に開口絞りＳを有することが望ましい。このように構成することにより、球面収差、コマ収差、像面湾曲等の諸収差を良好に補正できる。
【００３２】
あるいは、本実施形態に係る魚眼ズームレンズＺＬは、第２Ａレンズ群Ｇ２Ａと第２Ｂレンズ群Ｇ２Ｂとの間に開口絞りＳを有することが望ましい。このように構成することにより、球面収差、コマ収差、像面湾曲等の諸収差を良好に補正できる。
【００３３】
また、本実施形態に係る魚眼ズームレンズＺＬにおいて、開口絞りＳは、変倍時に第２レンズ群Ｇ２と一体に移動するように構成されていることが望ましい。このように構成することにより、球面収差、コマ収差、像面湾曲等の諸収差を良好に補正できる。
【００３４】
また、本実施形態に係る魚眼ズームレンズＺＬは、以下に示す条件式（７）を満足することが望ましい。
【００３５】
１．００  ＜  ｜ｆ２Ａ１｜／（−ｆ１）  ＜  ２５．００              （７）
但し、
ｆ２Ａ１：第２Ａレンズ群Ｇ２Ａの焦点距離
ｆ１：第１レンズ群Ｇ１の焦点距離
【００３６】
条件式（７）は、第２Ａレンズ群Ｇ２Ａと第１レンズ群Ｇ１との焦点距離の比を規定している。この条件式（７）の下限値を下回ると、第２Ａレンズ群Ｇ２Ａの焦点距離が小さくなり、最長焦点距離状態での合焦時の球面収差の補正が困難となり好ましくない。なお、この条件式（７）による効果を確実にするために、条件式(７）の下限値を１．３０とすることが望ましい。また、この条件式（７）による効果を更に確実にするために、条件式（７）の下限値を１．６５とすることが望ましい。また、条件式（７）の上限値を上回ると、第２Ａレンズ群Ｇ２Ａの焦点距離が大きくなり、合焦のための合焦レンズ群の移動間隔を確保するために、第１レンズ群Ｇ１の焦点距離を小さくしなければならず、その結果、最長焦点距離状態での非点収差の補正が困難となり好ましくない。なお、この条件式（７）による効果を確実にするために、条件式（７）の上限値を２２．００とすることが望ましい。また、この条件式（７）による効果を更に確実にするために、条件式（７）の上限値を１７．００とすることが望ましい。また、この条件式（７）による効果を更に確実にするために、条件式（７）の上限値を１０．００とすることが望ましい。また、この条件式（７）による効果を更に確実にするために、条件式（７）の上限値を７．００とすることが望ましい。また、この条件式（７）による効果を更に確実にするために、条件式（７）の上限値を５．００とすることが望ましい。
【００３７】
また、本実施形態に係る魚眼ズームレンズＺＬは、以下に示す条件式（８）を満足することが望ましい。
【００３８】
１．００  ＜  ｜ｆ２Ｂ１｜／（−ｆ１）  ＜  ７．５０                （８）
但し、
ｆ２Ｂ１：第２Ｂレンズ群Ｇ２Ｂの焦点距離
ｆ１：第１レンズ群Ｇ１の焦点距離
【００３９】
条件式（８）は、第２Ｂレンズ群Ｇ２Ｂと第１レンズ群Ｇ１との焦点距離の比を規定している。この条件式（８）の下限値を下回ると、第２Ｂレンズ群Ｇ２Ｂの焦点距離が小さくなり、最長焦点距離状態での像面湾曲収差の補正が困難となるため好ましくない。なお、この条件式（８）による効果を確実にするために、条件式(８）の下限値を１．５０とすることが望ましい。また、この条件式（８）による効果を更に確実にするために、条件式（８）の下限値を２．００とすることが望ましい。また、条件式（８）の上限値を上回ると、第２Ｂレンズ群Ｇ２Ｂの焦点距離が大きくなり、合焦のための合焦レンズ群の移動間隔を確保するために、第１レンズ群Ｇ１の焦点距離を小さくしなければならず、その結果、最長焦点距離状態での非点収差の補正が困難となり好ましくない。なお、この条件式（８）による効果を確実にするために、条件式(８）の上限値を６．５０とすることが望ましい。また、この条件式（８）による効果を更に確実にするために、条件式（８）の上限値を５．５０とすることが望ましい。
【００４０】
また、本実施形態に係る魚眼ズームレンズＺＬは、以下に示す条件式（９）を満足することが望ましい。
【００４１】
１．８０  ＜  ｆ２／（−ｆ１）  ＜  ３．２０                        （９）
但し、
ｆ１：第１レンズ群Ｇ１の焦点距離
ｆ２：第２レンズ群Ｇ２の焦点距離
【００４２】
条件式（９）は、第２レンズ群Ｇ２と第１レンズ群Ｇ１の焦点距離の比を規定している。この条件式（９）の下限値を下回ると、第２レンズ群Ｇ２の焦点距離が小さくなり、最長焦点距離状態での球面収差の補正が困難となり好ましくない。なお、この条件式（９）による効果を確実にするために、条件式(９）の下限値を２．００とすることが望ましい。また、この条件式（９）による効果を更に確実にするために、条件式（９）の下限値を２．４０とすることが望ましい。また、条件式（９）の上限値を上回ると、第２レンズ群Ｇ２の焦点距離が大きくなり、最長焦点距離状態での像面湾曲収差の補正が困難となり好ましくない。なお、この条件式（９）による効果を確実にするために、条件式(９）の上限値を２．８０とすることが望ましい。また、この条件式（９）による効果を更に確実にするために、条件式（９）の上限値を２．６０とすることが望ましい。
【００４３】
また、本実施形態に係る魚眼ズームレンズＺＬは、以下に示す条件式（１０）を満足することが望ましい。
【００４４】
１．００  ＜  ｜ｆ２Ｆ｜／（−ｆ１）  ＜  ６．００                  （１０）
但し、
ｆ２Ｆ：合焦レンズ群Ｇ２Ｆの焦点距離
ｆ１：第１レンズ群Ｇ１の焦点距離
【００４５】
条件式（１０）は、合焦レンズ群Ｇ２Ｆと第１レンズ群Ｇ１の焦点距離の比を規定している。この条件式（１０）の範囲内では、球面収差、コマ収差、像面湾曲等の合焦時の収差変動を少なくすることができる。なお、この条件式（１０）による効果を確実にするために、条件式(１０）の下限値を１．４０とすることが望ましい。また、この条件式（１０）による効果を更に確実にするために、条件式（１０）の下限値を１．７０とすることが望ましい。また、この条件式（１０）による効果を確実にするために、条件式(１０）の上限値を５．５０とすることが望ましい。また、この条件式（１０）による効果を更に確実にするために、条件式（１０）の上限値を５．００とすることが望ましい。また、この条件式（１０）による効果を更に確実にするために、条件式（１０）の上限値を４．５０とすることが望ましい。
【００４６】
また、本実施形態に係る魚眼ズームレンズＺＬは、以下に示す条件式（１１）を満足することが望ましい。
【００４７】
０．８０  ＜  （ｒ１＋ｒ２）／（ｒ１−ｒ２）  ＜  ２．３０          （１１）
但し、
ｒ１：第１レンズ群Ｇ１の最も物体側のレンズの物体側のレンズ面の曲率半径
ｒ２：第１レンズ群Ｇ１の最も物体側のレンズの像側のレンズ面の曲率半径
【００４８】
条件式（１１）は、第１レンズ群Ｇ１の最も物体側のレンズのシェイプファクターを規定するものである。この条件式（１１）の下限値を下回ると、最長焦点距離状態での非点収差の補正が困難となり好ましくない。なお、この条件式（１１）による効果を確実にするために、条件式(１１）の下限値を１．１０とすることが望ましい。また、この条件式（１１）による効果を更に確実にするために、条件式（１１）の下限値を１．３０とすることが望ましい。また、条件式（１１）の上限値を上回ると、レンズ加工の難易度が高くなり、製造時の最長焦点距離状態での非点収差が大きくなり好ましくない。なお、この条件式（１１）による効果を確実にするために、条件式(１１）の上限値を２．００とすることが望ましい。また、この条件式（１１）による効果を更に確実にするために、条件式（１１）の上限値を１．８０とすることが望ましい。
【００４９】
また、本実施形態に係る魚眼ズームレンズＺＬは、以下に示す条件式（１２）を満足することが望ましい。
【００５０】
３．５  ＜  Ｂｆｗ／ｆｗ  ＜  ８．０                                （１２）
但し、
Ｂｆｗ：最短焦点距離状態におけるバックフォーカス
ｆｗ：最短焦点距離状態における全系の焦点距離
【００５１】
条件式（１２）は、最短焦点距離状態におけるバックフォーカスと焦点距離の比を規定している。この条件式（１２）の下限値を下回ると、バックフォーカスが小さくなり、ボディのミラーと干渉するため好ましくない。なお、この条件式（１２）による効果を確実にするために、条件式(１２）の下限値を４．３とすることが望ましい。また、この条件式（１２）による効果を更に確実にするために、条件式（１２）の下限値を４．５とすることが望ましい。また、条件式（１２）の上限値を上回ると、バックフォーカスが大きく確保するために、第１レンズ群Ｇ１の焦点距離を小さくしなければならず、その結果、最長焦点距離状態での非点収差の補正が困難となり好ましくない。なお、この条件式（１２）による効果を確実にするために、条件式(１２）の上限値を５．２とすることが望ましい。また、この条件式（１２）による効果を更に確実にするために、条件式（１２）の上限値を５．０とすることが望ましい。
【００５２】
また、本実施形態に係る魚眼ズームレンズＺＬは、光軸が全系に亘って直線状であることが望ましい。このように構成することにより、レンズ保持の機構を簡単にすることができ、製造時のコマ収差を良好に補正することができる。
【００５３】
また、本実施形態に係る魚眼ズームレンズＺＬは、屈折系でのみ構成されていることが望ましい。このように構成することにより、レンズ面の形状誤差の影響を受けにくくなり、製造時の球面収差を良好に補正することができる。
【００５４】
また、本実施形態に係る魚眼ズームレンズＺＬは、以下に示す条件式（１３）を満足することが望ましい。
【００５５】
１２．０  ＜  ＴＬｗ／ｆｗ  ＜  １８．０                            （１３）
但し、
ＴＬｗ：最短焦点距離状態における光学全長
ｆｗ：最短焦点距離状態における全系の焦点距離
【００５６】
条件式（１３）は、最短焦点距離状態における光学全長と焦点距離の比を規定している。この条件式（１３）の下限値を下回ると、光学全長を短くするために第１レンズ群Ｇ１のレンズ枚数を減らす必要があり、結果として各レンズの焦点距離が小さくなり、像面湾曲収差の補正が困難になるため好ましくない。なお、この条件式（１３）による効果を確実にするために、条件式(１３）の下限値を１４．０とすることが望ましい。また、この条件式（１３）による効果を更に確実にするために、条件式（１３）の下限値を１４．５とすることが望ましい。また、条件式（１３）の上限値を上回ると、全長を大きく確保するために、第１レンズ群Ｇ１の焦点距離を小さくしなければならず、その結果、最長焦点距離状態での非点収差の補正が困難となるため好ましくない。なお、この条件式（１３）による効果を確実にするために、条件式(１３）の上限値を１７．０とすることが望ましい。また、この条件式（１３）による効果を更に確実にするために、条件式（１３）の上限値を１６．５とすることが望ましい。
【００５７】
なお、以上で説明した条件及び構成は、それぞれが上述した効果を発揮するものであり、全ての条件及び構成を満たすものに限定されることはなく、いずれかの条件又は構成、或いは、いずれかの条件又は構成の組み合わせを満たすものでも、上述した効果を得ることが可能である。
【００５８】
次に、本実施形態に係る魚眼ズームレンズＺＬを備えた光学機器であるカメラを図２５に基づいて説明する。このカメラ１は、撮影レンズ２として本実施形態に係る魚眼ズームレンズＺＬを備えたレンズ交換式の所謂ミラーレスカメラである。本カメラ１において、不図示の物体（被写体）からの光は、撮影レンズ２で集光されて、不図示のＯＬＰＦ（Optical low pass filter：光学ローパスフィルタ）を介して撮像部３の撮像面上に被写体像を形成する。そして、撮像部３に設けられた光電変換素子により被写体像が光電変換されて被写体の画像が生成される。この画像は、カメラ１に設けられたＥＶＦ（Electronic view finder：電子ビューファインダ）４に表示される。これにより撮影者は、ＥＶＦ４を介して被写体を観察することができる。
【００５９】
また、撮影者によって不図示のレリーズボタンが押されると、撮像部３により光電変換された画像が不図示のメモリに記憶される。このようにして、撮影者は本カメラ１による被写体の撮影を行うことができる。なお、本実施形態では、ミラーレスカメラの例を説明したが、カメラ本体にクイックリターンミラーを有しファインダー光学系により被写体を観察する一眼レフタイプのカメラに本実施形態に係る魚眼ズームレンズＺＬを搭載した場合でも、上記カメラ１と同様の効果を奏することができる。
【００６０】
なお、以下に記載の内容は、光学性能を損なわない範囲で適宜採用可能である。
【００６１】
本実施形態では、２群または３群構成の魚眼ズームレンズＺＬを示したが、以上の構成条件等は、４群、５群等の他の群構成にも適用可能である。また、最も物体側にレンズまたはレンズ群を追加した構成や、最も像面側にレンズまたはレンズ群を追加した構成でも構わない。具体的には、最も像面側に、変倍時又は合焦時に像面に対する位置を固定されたレンズ群を追加した構成が考えられる。また、レンズ群とは、変倍時又は合焦時に変化する空気間隔で分離された、少なくとも１枚のレンズを有する部分を示す。また、本実施形態の魚眼ズームレンズＺＬは、変倍時に各群間の空気間隔が変化するように、第１レンズ群Ｇ１〜第２レンズ群Ｇ２（又は第３レンズ群Ｇ３）がそれぞれ光軸に沿って移動する。また、レンズ成分とは、単レンズ又は複数のレンズが接合された接合レンズをいう。
【００６２】
また、単独または複数のレンズ群、または部分レンズ群を光軸方向に移動させて、無限遠物体から近距離物体への合焦を行う合焦レンズ群としても良い。この場合、合焦レンズ群はオートフォーカスにも適用でき、オートフォーカス用の（超音波モータ等の）モータ駆動にも適している。特に、第２レンズ群Ｇ２の少なくとも一部を合焦レンズ群とし、その他のレンズは合焦時に像面に対する位置を固定とするのが好ましい。モータにかかる負荷を考慮すると、合焦レンズ群は単レンズから構成するのが好ましい。
【００６３】
また、レンズ群または部分レンズ群を光軸に直交方向の変位成分を持つように移動させ、または、光軸を含む面内方向に回転移動（揺動）させて、手振れによって生じる像ブレを補正する防振レンズ群としてもよい。特に、上述したように、第２レンズ群Ｇ２の少なくとも一部を防振レンズ群とするのが好ましい。
【００６４】
また、レンズ面は、球面または平面で形成されても、非球面で形成されても構わない。レンズ面が球面または平面の場合、レンズ加工及び組立調整が容易になり、加工及び組立調整の誤差による光学性能の劣化を防げるので好ましい。また、像面がずれた場合でも描写性能の劣化が少ないので好ましい。レンズ面が非球面の場合、非球面は、研削加工による非球面、ガラスを型で非球面形状に形成したガラスモールド非球面、ガラスの表面に樹脂を非球面形状に形成した複合型非球面のいずれの非球面でも構わない。また、レンズ面は回折面としてもよく、レンズを屈折率分布型レンズ（ＧＲＩＮレンズ）或いはプラスチックレンズとしてもよい。
【００６５】
開口絞りＳは、第２レンズ群Ｇ２の近傍または中に配置されるのが好ましいが、開口絞りとしての部材を設けずに、レンズの枠でその役割を代用してもよい。
【００６６】
さらに、各レンズ面には、フレアやゴーストを軽減し高コントラストの高い光学性能を達成するために、広い波長域で高い透過率を有する反射防止膜を施してもよい。
【００６７】
また、本実施形態の魚眼ズームレンズＺＬは、変倍比が１．５〜５倍程度である。
【００６８】
以下、本実施形態に係る魚眼ズームレンズＺＬの製造方法の概略を、図２６を参照して説明する。まず、各レンズを配置して第１レンズ群Ｇ１及び第２レンズ群Ｇ２をそれぞれ準備し（ステップＳ１００）、最短焦点距離状態から最長焦点距離状態への変倍時に、第１レンズ群Ｇ１と第２レンズ群Ｇ２との間隔が変化するように配置する（ステップＳ２００）。また、第２レンズ群Ｇ２の一部は合焦レンズ群Ｇ２Ｆであり、合焦時に、合焦レンズ群Ｇ２Ｆが光軸上を移動するように配置する（ステップＳ３００）。
【００６９】
具体的には、本実施形態では、例えば図１に示すように、物体側から順に、物体側に凸面を向けた負メニスカスレンズＬ１１、物体側のレンズ面が非球面形状に形成された、物体側に凸面を向けた負メニスカスレンズ形状の負レンズＬ１２、両凹負レンズＬ１３、物体側に凸面を向けた正メニスカスレンズＬ１４、及び、両凹負レンズＬ１５を配置して第１レンズ群Ｇ１とし、物体側に凸面を向けた正メニスカスレンズＬ２１、物体側に凹面を向けた負メニスカスレンズＬ２２、及び、両凹負レンズＬ２３と両凸正レンズＬ２４とを接合した接合レンズを配置した第２Ａレンズ群Ｇ２Ａ、並びに、物体側に凹面を向けた負メニスカスレンズＬ２５と物体側に凹面を向けた正メニスカスレンズＬ２６とを接合した接合レンズ、両凸正レンズＬ２７と物体側に凹面を向けた負メニスカスレンズＬ２８とを接合した接合レンズ、両凹負レンズＬ２９と物体側に凸面を向けた正メニスカスレンズＬ２１０とを接合した接合レンズ、物体側に凸面をむけた負メニスカスレンズＬ２１１と両凸正レンズＬ２１２とを接合した接合レンズ、及び、両凸正レンズＬ２１３を配置した第２Ｂレンズ群Ｇ２Ｂを配置して第２レンズ群Ｇ２とする。このとき、第２Ａレンズ群Ｇ２Ａを合焦レンズ群Ｇ２Ｆとする。このように準備した各レンズ群を上述の手順で配置して魚眼ズームレンズＺＬを製造する。
【００７０】
以上のような構成により、光学性能が更に向上した魚眼ズームレンズＺＬ、この魚眼ズームレンズＺＬを有する光学機器及び魚眼ズームレンズＺＬの製造方法を提供することができる。
【実施例】
【００７１】
以下、本願の各実施例を、図面に基づいて説明する。なお、図１、図４、図７、図１０、図１３、図１６、図１９及び図２２は、各実施例に係る魚眼ズームレンズＺＬ（ＺＬ１〜ＺＬ８）の構成及び屈折力配分を示す断面図である。また、これらの魚眼ズームレンズＺＬ１〜ＺＬ６８断面図の下部には、最短焦点距離状態（Ｗ）から最長焦点距離状態（Ｔ）に変倍する際の各レンズ群Ｇ１〜Ｇ２（またはＧ３）の光軸に沿った移動方向が矢印で示されている。
【００７２】
各実施例において、非球面は、光軸に垂直な方向の高さをｙとし、高さｙにおける各非球面の頂点の接平面から各非球面までの光軸に沿った距離（サグ量）をＳ（ｙ）とし、基準球面の曲率半径（近軸曲率半径）をｒとし、円錐定数をＫとし、ｎ次の非球面係数をＡnとしたとき、以下の式（ａ）で表される。なお、以降の実施例において、「Ｅ−ｎ」は「×１０-n」を示す。
【００７３】
Ｓ（ｙ）＝（ｙ2／ｒ）／｛１＋（１−Ｋ×ｙ2／ｒ2）1/2｝
＋Ａ4×ｙ4＋Ａ6×ｙ6＋Ａ8×ｙ8＋Ａ10×ｙ10    （ａ）
【００７４】
なお、各実施例において、２次の非球面係数Ａ2は０である。また、各実施例の表中において、非球面には面番号の右側に＊印を付している。
【００７５】
［第１実施例］
図１は、第１実施例に係る魚眼ズームレンズＺＬ１の構成を示す図である。この図１に示す魚眼ズームレンズＺＬ１は、物体側から順に、負の屈折力を有する第１レンズ群Ｇ１と、正の屈折力を有する第２レンズ群Ｇ２と、から構成されている。また、第２レンズ群Ｇ２は、物体側から順に、正の屈折力を有する第２Ａレンズ群Ｇ２Ａと、正の屈折力を有する第２Ｂレンズ群Ｇ２Ｂとから構成されている。
【００７６】
この魚眼ズームレンズＺＬ１において、第１レンズ群Ｇ１は、物体側から順に、物体側に凸面を向けた負メニスカスレンズＬ１１、物体側のレンズ面が非球面形状に形成された、物体側に凸面を向けた負メニスカスレンズ形状の負レンズＬ１２、両凹負レンズＬ１３、物体側に凸面を向けた正メニスカスレンズＬ１４、及び、両凹負レンズＬ１５で構成されている。また、第２レンズ群Ｇ２を構成する第２Ａレンズ群Ｇ２Ａは、物体側から順に、物体側に凸面を向けた正メニスカスレンズＬ２１、物体側に凹面を向けた負メニスカスレンズＬ２２、及び、両凹負レンズＬ２３と両凸正レンズＬ２４とを接合した接合レンズで構成されている。また、第２レンズ群Ｇ２を構成する第２Ｂレンズ群Ｇ２Ｂは、物体側から順に、物体側に凹面を向けた負メニスカスレンズＬ２５と物体側に凹面を向けた正メニスカスレンズＬ２６とを接合した接合レンズ、両凸正レンズＬ２７と物体側に凹面を向けた負メニスカスレンズＬ２８とを接合した接合レンズ、両凹負レンズＬ２９と物体側に凸面を向けた正メニスカスレンズＬ２１０とを接合した接合レンズ、物体側に凸面をむけた負メニスカスレンズＬ２１１と両凸正レンズＬ２１２とを接合した接合レンズ、及び、両凸正レンズＬ２１３で構成されている。また、開口絞りＳは、第２レンズ群Ｇ２内の両凸正レンズＬ２４と負メニスカスレンズＬ２５との間に配置されている。
【００７７】
この魚眼ズームレンズＺＬ１は、最短焦点距離状態から最長焦点距離状態への変倍に際し、第１レンズ群Ｇ１と第２レンズ群Ｇ２との間隔が減少するように、各レンズ群が光軸に沿って移動するように構成されている。なお、開口絞りＳは第２レンズ群Ｇ２と一体に移動する。
【００７８】
また、この魚眼ズームレンズＺＬ１は、第２Ａレンズ群Ｇ２Ａを合焦レンズ群Ｇ２Ｆとし、無限遠から近距離物体への合焦は、この合焦レンズ群Ｇ２Ｆを像側に移動させることにより行うように構成されている。開口絞りＳは、合焦時は、像面Ｉに対して固定されている。
【００７９】
以下の表１に、魚眼ズームレンズＺＬ１の諸元の値を掲げる。この表１において、全体諸元に示すｆは全系の焦点距離、ＦＮＯはＦナンバー、θは半画角（単位は［°］）、Ｙは最大像高、及び、ＴＬは全長を、広角端状態、中間焦点距離状態及び望遠端状態毎に無限遠合焦時の値として表している。ここで、全長ＴＬは、無限合焦時の最も物体側のレンズ面（図１における第１面）から像面Ｉまでの光軸上の距離を示している。また、レンズデータにおける第１欄ｍは、光線の進行する方向に沿った物体側からのレンズ面の順序（面番号）を、第２欄ｒは、各レンズ面の曲率半径を、第３欄ｄは、各光学面から次の光学面までの光軸上の距離（面間隔）を、第４欄νｄ及び第５欄ｎｄは、ｄ線（λ＝５８７．６ｎｍ）に対するアッベ数及び屈折率を示している。また、曲率半径0.0000は平面を示し、空気の屈折率1.000000は省略してある。なお、表１に示す面番号１〜３２は、図１に示す番号１〜３２に対応している。また、レンズ群焦点距離は第１レンズ群Ｇ１及び第２レンズ群Ｇ２の各々の始面と焦点距離を示している。
【００８０】
ここで、以下の全ての諸元値において掲載されている焦点距離ｆ、曲率半径ｒ、面間隔ｄ、その他長さの単位は一般に「ｍｍ」が使われるが、光学系は、比例拡大または比例縮小しても同等の光学性能が得られるので、これに限られるものではない。また、これらの符号の説明及び諸元表の説明は以降の実施例においても同様である。
【００８１】
（表１）第１実施例
［全体諸元］
最短焦点距離状態  中間焦点距離状態  最長焦点距離状態
ｆ      ＝   8.17997      〜  11.84980      〜  15.45007
ＦＮｏ  ＝   3.56351      〜   4.12559      〜   4.67681
θ      ＝  89.14213      〜  88.84958      〜  87.50077
Ｙ      ＝  11.20         〜  16.50         〜  21.60
ＴＬ    ＝ 129.03610      〜 126.92735      〜 130.10229
［レンズデータ］
ｍ        ｒ          ｄ      νｄ      ｎｄ
物面      ∞
1       69.9791     2.5992    54.61    1.729160
2       18.1503    11.9964
3*      59.7861     1.6095    67.05    1.592010
4       19.6992     6.6980
5     -180.3004     1.3596    67.90    1.593190
6       20.0353     1.9994
7       22.6462     5.9982    25.45    1.805180
8      318.7364     2.9186
9      -36.6413     1.1996    67.90    1.593190
10      249.8233      D1
11       42.6063     1.8695    44.81    1.744000
12      641.2576     1.0000
13      -16.4939     0.8000    40.66    1.883000
14      -19.2028     2.0000
15      -66.7649     0.8000    40.66    1.883000
16       14.2924     3.4000    47.14    1.670030
17      -15.7897      D2
18        0.0000     2.0500                        開口絞りＳ
19       -9.5349     0.8000    40.66    1.883000
20      -20.6586     2.7500    58.82    1.518230
21       -9.9800     0.2000
22       20.8047     4.8700    38.03    1.603420
23      -14.8489     0.7000    40.66    1.883000
24      -24.1607     0.2000
25      -58.0012     0.7000    40.66    1.883000
26       17.7676     2.8000    82.57    1.497820
27      941.9509     0.5000
28       68.2847     0.7000    40.66    1.883000
29       23.1398     4.3500    82.57    1.497820
30      -29.9823     0.2175
31      225.0000     1.7000    70.45    1.487490
32      -80.0000      BF
像面      ∞
［レンズ群焦点距離］
レンズ群      始面    焦点距離
第１レンズ群      1      -10.91
第２レンズ群     11       27.50
第２Ａレンズ群   11       40.00
第２Ｂレンズ群   19       44.00
【００８２】
この魚眼ズームレンズＺＬ１において、第３面は非球面形状に形成されている。次の表２に、非球面のデータ、すなわち円錐定数Ｋ及び各非球面定数Ａ4〜Ａ10の値を示す。
【００８３】
（表２）
［非球面データ］
Ｋ       Ａ4           Ａ6           Ａ8           Ａ10
第 3面  1.0000    2.04342E-06  -1.19834E-08  -1.95003E-11   0.00000E+00
【００８４】
この魚眼ズームレンズＺＬ１において、第１レンズ群Ｇ１と第２レンズ群Ｇ２との軸上空気間隔Ｄ１、及び、バックフォーカスＢＦは、上述したように、変倍時に変化する。また、合焦レンズ群Ｇ２Ｆの物体側の間隔Ｄ１及び像側の間隔Ｄ２は合焦時に変化する。次の表３に、無限遠合焦状態及び至近合焦状態での最短焦点距離状態（Ｗ）、中間焦点距離状態（Ｍ）及び最長焦点距離状態（Ｔ）の各焦点距離状態における可変間隔を示す。なお、ｆは全系の焦点距離を示し、βは倍率を示し、Ｄ０は魚眼ズームレンズＺＬ１の最も物体側の面（第１面）から物体までの距離を示す。また、バックフォーカスＢＦは、最も像面側のレンズ面（図１における第３１面）から像面Ｉまでの光軸上の距離を示している。以降の実施例においても同様である。
【００８５】
（表３）
［可変間隔データ］
無限遠                          至近
Ｗ         Ｍ         Ｔ        Ｗ         Ｍ         Ｔ
ｆ     8.17997   11.84980   15.45007
β                                     -0.03333   -0.03333   -0.03333
Ｄ０   0.0000     0.0000     0.0000   223.4242   334.4600   442.9260
Ｄ１  18.71674    7.35774    1.45774   19.24919    7.69258    1.71937
Ｄ２   3.48126    3.48126    3.48126    2.94882    3.14643    3.21963
ＢＦ  38.05242   47.30267   56.37761   38.05242   47.30267   56.37761
【００８６】
次の表４に、この魚眼ズームレンズＺＬ１における各条件式対応値を示す。この表４において、Ｙｗは最短焦点距離状態における最大像高を、ｆｗは最短焦点距離状態における全系の焦点距離を、θｗは最短焦点距離状態における最大撮影半画角［°］を、Ｙｔは最長焦点距離状態における最大像高を、ｆｔは最長焦点距離状態における全系の焦点距離を、θｔは最長焦点距離状態における最大撮影半画角［°］を、ｎｄ２ａｐ１は第２Ａレンズ群Ｇ２Ａが有する正レンズの媒質のｄ線に対する屈折率の平均値を、νｄ２ａｐ１は第２Ａレンズ群Ｇ２Ａが有する正レンズの媒質のｄ線に対するアッベ数の平均値を、ｎｄ２ａｎ１は第２Ａレンズ群Ｇ２Ａが有する負レンズの媒質のｄ線に対する屈折率の平均値を、νｄ２ａｎ１は第２Ａレンズ群Ｇ２Ａが有する負レンズの媒質のｄ線に対するアッベ数の平均値を、ｆ１は第１レンズ群Ｇ１の焦点距離を、ｆ２は第２レンズ群Ｇ２の焦点距離を、ｆ２Ａ１は第２Ａレンズ群Ｇ２Ａの焦点距離を、ｆ２Ｂ１は第２Ｂレンズ群Ｇ２Ｂの焦点距離を、ｆ２Ｆは合焦レンズ群Ｇ２Ｆの焦点距離を、ｒ１は第１レンズ群Ｇ１の最も物体側のレンズの物体側のレンズ面の曲率半径を、ｒ２は第１レンズ群Ｇ１の最も物体側のレンズの像側のレンズ面の曲率半径を、Ｂｆｗは最短焦点距離状態におけるバックフォーカスを、ＴＬｗは最短焦点距離状態における光学全長を、それぞれ表している。この符号の説明は、以降の実施例においても同様である。
【００８７】
（表４）
ｎｄ２ａｐ１＝1.707
νｄ２ａｐ１＝45.98
ｎｄ２ａｎ１＝1.883
νｄ２ａｎ１＝40.66
ｆ２Ｆ＝40.00
[条件式対応値]
（１）Ｙｗ／｛２×ｆｗ×ｓｉｎ（θｗ／２）｝＝0.98
（２）Ｙｔ／｛２×ｆｔ×ｓｉｎ（θｔ／２）｝＝1.01
（３）θｗ＝89.2
（４）θｔ＝87.6
（５）ｎｄ２ａｎ１−ｎｄ２ａｐ１＝0.18
（６）νｄ２ａｐ１−νｄ２ａｎ１＝5.32
（７）｜ｆ２Ａ１｜／（−ｆ１）＝3.67
（８）｜ｆ２Ｂ１｜／（−ｆ１）＝4.03
（９）ｆ２／（−ｆ１）＝2.52
（１０）｜ｆ２Ｆ｜／（−ｆ１）＝3.67
（１１）（ｒ１＋ｒ２）／（ｒ１−ｒ２）＝1.70
（１２）Ｂｆｗ／ｆｗ＝4.7
（１３）ＴＬｗ／ｆｗ＝15.8
【００８８】
このように、この魚眼ズームレンズＺＬ１は、上記条件式（１）〜（１３）を全て満足している。
【００８９】
この魚眼ズームレンズＺＬ１の、無限遠合焦時の最短焦点距離状態及び最長焦点距離状態における球面収差図、非点収差図、歪曲収差図、倍率色収差図及びコマ収差図を図２（ａ）及び図３（ａ）に示し、至近合焦時の最短焦点距離状態及び最長焦点距離状態における球面収差図、非点収差図、歪曲収差図、倍率色収差図及びコマ収差図を図２（ｂ）及び図３（ｂ）に示す。各収差図において、ＦＮＯはＦナンバー、ＮＡは開口数、Ｙは像高をそれぞれ示す。なお、球面収差図では最大口径に対応するＦナンバー又は開口数の値を示し、非点収差図及び歪曲収差図では像高の最大値をそれぞれ示し、コマ収差図では各像高の値を示す。ｄはｄ線（λ＝５８７．６ｎｍ）、ｇはｇ線（λ＝４３５．８ｎｍ）をそれぞれ示す。非点収差図において、実線はサジタル像面、破線はメリディオナル像面をそれぞれ示す。また、以降に示す各実施例の収差図においても、本実施例と同様の符号を用いる。これらの各収差図より、この魚眼ズームレンズＺＬ１は、最短焦点距離状態から最長焦点距離状態にわたって諸収差が良好に補正され、優れた結像性能を有することがわかる。
【００９０】
［第２実施例］
図４は、第２実施例に係る魚眼ズームレンズＺＬ２の構成を示す図である。この図４に示す魚眼ズームレンズＺＬ２は、物体側から順に、負の屈折力を有する第１レンズ群Ｇ１と、正の屈折力を有する第２レンズ群Ｇ２と、から構成されている。また、第２レンズ群Ｇ２は、物体側から順に、正の屈折力を有する第２Ａレンズ群Ｇ２Ａと、正の屈折力を有する第２Ｂレンズ群Ｇ２Ｂとから構成されている。
【００９１】
この魚眼ズームレンズＺＬ２において、第１レンズ群Ｇ１は、物体側から順に、物体側に凸面を向けた負メニスカスレンズＬ１１、物体側に凸面を向けた負メニスカスレンズの物体側のレンズ面に樹脂層を設けて非球面形状が形成された負レンズＬ２１、両凹負レンズＬ１３、両凸正レンズＬ１４、及び、物体側に凹面を向けた負メニスカスレンズＬ１５で構成されている。また、第２レンズ群Ｇ２を構成する第２Ａレンズ群Ｇ２Ａは、物体側から順に、両凸正レンズＬ２１、両凹負レンズＬ２２、及び、物体側に凹面を向けた正メニスカスレンズＬ２３で構成されている。また、第２レンズ群Ｇ２を構成する第２Ｂレンズ群Ｇ２Ｂは、物体側から順に、物体側に凹面を向けた正メニスカスレンズＬ２４と物体側に凹面を向けた負メニスカスレンズＬ２５とを接合した接合レンズ、両凸正レンズＬ２６と両凹負レンズＬ２７とを接合した接合レンズ、物体側に凹面を向けた正メニスカスレンズＬ２８、物体側に凸面を向けた負メニスカスレンズＬ２９と両凸正レンズＬ２１０とを接合した接合レンズ、及び、両凸正レンズＬ２１１で構成されている。また、開口絞りＳは、第２レンズ群Ｇ２内の正メニスカスレンズＬ２３Ａと正メニスカスレンズＬ２４との間に配置されている。
【００９２】
この魚眼ズームレンズＺＬ２は、最短焦点距離状態から最長焦点距離状態への変倍に際し、第１レンズ群Ｇ１と第２レンズ群Ｇ２との間隔が減少するように、各レンズ群が光軸に沿って移動するように構成されている。なお、開口絞りＳは第２レンズ群Ｇ２と一体に移動する。
【００９３】
また、この魚眼ズームレンズＺＬ２は、第２Ａレンズ群Ｇ２Ａを合焦レンズ群Ｇ２Ｆとし、無限遠から近距離物体への合焦は、この合焦レンズ群Ｇ２Ｆを像側に移動させることにより行うように構成されている。開口絞りＳは、合焦時は、像面Ｉに対して固定されている。
【００９４】
以下の表５に、魚眼ズームレンズＺＬ２の諸元の値を掲げる。なお、表５に示す面番号１〜３１は、図４に示す番号１〜３１に対応している。
【００９５】
（表５）第２実施例
［全体諸元］
最短焦点距離状態  中間焦点距離状態  最長焦点距離状態
ｆ      ＝   8.18000      〜  10.29999      〜  15.44996
ＦＮｏ  ＝   3.54346      〜   3.84461      〜   4.57616
θ      ＝  89.16716      〜  88.95953      〜  87.59587
Ｙ      ＝  11.20         〜  14.25         〜  21.60
ＴＬ    ＝ 130.49999      〜 127.04436      〜 128.66084
［レンズデータ］
ｍ        ｒ          ｄ      νｄ      ｎｄ
物面      ∞
1       67.5793     2.6000    49.62    1.772500
2       18.5261    11.5000
3*      43.9078     0.1500    36.64    1.560930
4       43.9078     1.6000    55.52    1.696800
5       21.1562     6.7000
6      -52.5032     1.3600    55.52    1.696800
7       60.4041     2.0000
8       45.2835     6.0000    22.74    1.808090
9      -72.6380     2.0000
10      -24.4324     1.2000    66.99    1.593490
11     -244.4887      D1
12       26.6126     2.0000    46.78    1.766840
13     -350.6635     2.2228
14      -42.2731     0.8000    40.66    1.883000
15       32.7826     2.0010
16    -1139.0561     2.0000    46.78    1.766840
17      -20.6459      D2
18        0.0000     1.6508                  開口絞りＳ
19      -17.7918     2.0000    58.82    1.518230
20      -10.6996     0.8000    40.66    1.883000
21      -20.3800     0.2000
22       25.5572     4.0000    38.03    1.603420
23      -15.5112     0.7000    40.66    1.883000
24       77.5773     1.0000
25      -56.0148     3.0000    82.57    1.497820
26      -15.6748     0.5000
27       67.2833     0.7000    35.73    1.902650
28       24.0620     5.0000    82.57    1.497820
29      -31.9458     0.2000
30      225.0000     2.3000    70.31    1.487490
31      -80.0000      BF
像面      ∞
［レンズ群焦点距離］
レンズ群      始面    焦点距離
第１レンズ群      1      -11.80
第２レンズ群     12       29.51
第２Ａレンズ群   12       45.30
第２Ｂレンズ群   19       38.41
【００９６】
この魚眼ズームレンズＺＬ２において、第３面は非球面形状に形成されている。次の表６に、非球面のデータ、すなわち円錐定数Ｋ及び各非球面定数Ａ4〜Ａ10の値を示す。
【００９７】
（表６）
［非球面データ］
Ｋ       Ａ4           Ａ6           Ａ8           Ａ10
第 3面  1.0000   4.80543E-06   5.63742E-10   5.22458E-12   0.00000E+00
【００９８】
この魚眼ズームレンズＺＬ２において、第１レンズ群Ｇ１と第２レンズ群Ｇ２との軸上空気間隔Ｄ１、及び、バックフォーカスＢＦは、上述したように、変倍時に変化する。また、合焦レンズ群Ｇ２Ｆの物体側の間隔Ｄ１及び像側の間隔Ｄ２は合焦時に変化する。次の表７に、無限遠合焦状態及び至近合焦状態での最短焦点距離状態（Ｗ）、中間焦点距離状態（Ｍ）及び最長焦点距離状態（Ｔ）の各焦点距離状態における可変間隔を示す。
【００９９】
（表７）
［可変間隔データ］
無限遠                          至近
Ｗ         Ｍ         Ｔ        Ｗ         Ｍ         Ｔ
ｆ     8.18000   10.29999   15.44996
β                                     -0.03333   -0.03333   -0.03333
Ｄ０   0.0000     0.0000     0.0000   223.5480   287.7651   443.1073
Ｄ１  21.52217   12.76419    1.50000   22.10765   13.21463    1.82330
Ｄ２   4.69325    4.69325    4.69325    4.10778    4.24281    4.36995
ＢＦ  38.09999   43.40234   56.28301   38.09999   43.40234   56.28301
【０１００】
次の表８に、この魚眼ズームレンズＺＬ２における各条件式対応値を示す。
【０１０１】
（表８）
ｎｄ２ａｐ１＝1.767
νｄ２ａｐ１＝46.78
ｎｄ２ａｎ１＝1.883
νｄ２ａｎ１＝40.66
ｆ２Ｆ＝45.3
[条件式対応値]
（１）Ｙｗ／｛２×ｆｗ×ｓｉｎ（θｗ／２）｝＝0.98
（２）Ｙｔ／｛２×ｆｔ×ｓｉｎ（θｔ／２）｝＝1.01
（３）θｗ＝89.2
（４）θｔ＝87.6
（５）ｎｄ２ａｎ１−ｎｄ２ａｐ１＝0.12
（６）νｄ２ａｐ１−νｄ２ａｎ１＝6.12
（７）｜ｆ２Ａ１｜／（−ｆ１）＝3.84
（８）｜ｆ２Ｂ１｜／（−ｆ１）＝3.26
（９）ｆ２／（−ｆ１）＝2.50
（１０）｜ｆ２Ｆ｜／（−ｆ１）＝3.84
（１１）（ｒ１＋ｒ２）／（ｒ１−ｒ２）＝1.76
（１２）Ｂｆｗ／ｆｗ＝4.7
（１３）ＴＬｗ／ｆｗ＝16.0
【０１０２】
このように、この魚眼ズームレンズＺＬ２は、上記条件式（１）〜（１３）を全て満足している。
【０１０３】
この魚眼ズームレンズＺＬ２の、無限遠合焦時の最短焦点距離状態及び最長焦点距離状態における球面収差図、非点収差図、歪曲収差図、倍率色収差図及びコマ収差図を図５（ａ）及び図６（ａ）に示し、至近合焦時の最短焦点距離状態及び最長焦点距離状態における球面収差図、非点収差図、歪曲収差図、倍率色収差図及びコマ収差図を図５（ｂ）及び図６（ｂ）に示す。これらの各収差図より、この魚眼ズームレンズＺＬ２は、最短焦点距離状態から最長焦点距離状態にわたって諸収差が良好に補正され、優れた結像性能を有することがわかる。
【０１０４】
［第３実施例］
図７は、第３実施例に係る魚眼ズームレンズＺＬ３の構成を示す図である。この図７に示す魚眼ズームレンズＺＬ３は、物体側から順に、負の屈折力を有する第１レンズ群Ｇ１と、正の屈折力を有する第２レンズ群Ｇ２と、から構成されている。また、第２レンズ群Ｇ２は、物体側から順に、正の屈折力を有する第２Ａレンズ群Ｇ２Ａと、正の屈折力を有する第２Ｂレンズ群Ｇ２Ｂとから構成されている。
【０１０５】
この魚眼ズームレンズＺＬ３において、第１レンズ群Ｇ１は、物体側から順に、物体側のレンズ面が非球面形状に形成された、物体側に凸面を向けた負メニスカスレンズ形状の負レンズＬ１１、両凸正レンズＬ１２、物体側に凸面を向けた負メニスカスレンズＬ１３、両凹負レンズＬ１４、及び、両凸正レンズＬ１５で構成されている。また、第２レンズ群Ｇ２を構成する第２Ａレンズ群Ｇ２Ａは、物体側から順に、両凸正レンズＬ２１、物体側に凹面を向けた負メニスカスレンズＬ２２、及び、両凹負レンズＬ２３と両凸正レンズＬ２４とを接合した接合レンズで構成されている。また、第２レンズ群Ｇ２を構成する第２Ｂレンズ群Ｇ２Ｂは、物体側から順に、物体側に凹面を向けた負メニスカスレンズＬ２５、両凸正レンズＬ２６と両凹負レンズＬ２７と両凸正レンズＬ２８とを接合した接合レンズ、両凸正レンズＬ２９と両凹負レンズＬ２１０とを接合した接合レンズ、及び、両凸正レンズＬ２１１で構成されている。また、開口絞りＳは、第２レンズ群Ｇ２内の両凸正レンズＬ２４と負メニスカスレンズＬ２５との間に配置されている。
【０１０６】
この魚眼ズームレンズＺＬ３は、最短焦点距離状態から最長焦点距離状態への変倍に際し、第１レンズ群Ｇ１と第２レンズ群Ｇ２との間隔が減少するように、各レンズ群が光軸に沿って移動するように構成されている。なお、開口絞りＳは第２レンズ群Ｇ２と一体に移動する。
【０１０７】
また、この魚眼ズームレンズＺＬ３は、第２Ａレンズ群Ｇ２Ａを合焦レンズ群Ｇ２Ｆとし、無限遠から近距離物体への合焦は、この合焦レンズ群Ｇ２Ｆを像側に移動させることにより行うように構成されている。開口絞りＳは、合焦時は、像面Ｉに対して固定されている。
【０１０８】
以下の表９に、魚眼ズームレンズＺＬ３の諸元の値を掲げる。なお、表９に示す面番号１〜２９は、図７に示す番号１〜２９に対応している。
【０１０９】
（表９）第３実施例
［全体諸元］
最短焦点距離状態  中間焦点距離状態  最長焦点距離状態
ｆ      ＝   8.17936      〜  11.85140      〜  15.45401
ＦＮｏ  ＝   3.54346      〜   3.84461      〜   4.57616
θ      ＝  89.16716      〜  88.95953      〜  87.59587
Ｙ      ＝  11.20         〜  16.50         〜  21.60
ＴＬ    ＝ 122.94470      〜 120.88332      〜 123.97692
［レンズデータ］
ｍ        ｒ          ｄ      νｄ      ｎｄ
物面      ∞
1*     134.2522     2.6000    66.99    1.593490
2       17.7203    14.0000
3      449.1675     6.0000    58.12    1.622990
4     -372.8103     0.1000
5       65.8905     1.5000    82.57    1.497820
6       12.5469     8.0000
7      -19.9607     1.2000    67.90    1.593190
8      107.8129     0.1000
9       44.4709     3.0000    22.74    1.808090
10     -123.9984      D1
11       76.4207     1.0000    44.81    1.744000
12      -45.7782     1.0000
13      -11.2443     0.8000    40.66    1.883000
14      -11.5293     0.1000
15      -31.7493     0.8000    40.66    1.883000
16       34.5949     2.2000    47.14    1.670030
17      -19.7594      D2
18        0.0000     2.0500                        開口絞りＳ
19      -11.6294     1.0000    58.96    1.518230
20      -25.6857     0.2000
21       14.7336     3.5737    70.45    1.487490
22      -20.1199     0.8000    40.80    1.883000
23       14.8504     4.0000    35.45    1.592700
24      -15.5769     0.1000
25      -42.8650     0.9300    37.35    1.834000
26       18.2541     4.0000    82.57    1.497820
27      -26.6294     0.1000
28       42.4808     3.0000    66.99    1.593490
29      -43.6747      BF
像面      ∞
［レンズ群焦点距離］
レンズ群      始面    焦点距離
第１レンズ群      1      -10.91
第２レンズ群     11       26.80
第２Ａレンズ群   11       38.51
第２Ｂレンズ群   19       40.45
【０１１０】
この魚眼ズームレンズＺＬ３において、第１面は非球面形状に形成されている。次の表１０に、非球面のデータ、すなわち円錐定数Ｋ及び各非球面定数Ａ4〜Ａ10の値を示す。
【０１１１】
（表１０）
［非球面データ］
Ｋ         Ａ4           Ａ6           Ａ8           Ａ10
第 1面  3581.9001   1.06441E-05  -9.83205E-09   0.00000E+00   0.00000E+00
【０１１２】
この魚眼ズームレンズＺＬ３において、第１レンズ群Ｇ１と第２レンズ群Ｇ２との軸上空気間隔Ｄ１、及び、バックフォーカスＢＦは、上述したように、変倍時に変化する。また、合焦レンズ群Ｇ２Ｆの物体側の間隔Ｄ１及び像側の間隔Ｄ２は合焦時に変化する。次の表１１に、無限遠合焦状態及び至近合焦状態での最短焦点距離状態（Ｗ）、中間焦点距離状態（Ｍ）及び最長焦点距離状態（Ｔ）の各焦点距離状態における可変間隔を示す。
【０１１３】
（表１１）
［可変間隔データ］
無限遠                          至近
Ｗ         Ｍ         Ｔ        Ｗ         Ｍ         Ｔ
ｆ     8.17936   11.85140   15.45401
β                                     -0.03333   -0.03333   -0.03333
Ｄ０   0.0000     0.0000     0.0000   222.9289   334.0568   442.6231
Ｄ１  18.79753    7.71979    1.96753   19.32181    8.05483    2.23182
Ｄ２   3.49385    3.49385    3.49385    2.96957    3.15881    3.22956
ＢＦ  38.49966   47.51601   56.36187   38.49966   47.51601   56.36187
【０１１４】
次の表１２に、この魚眼ズームレンズＺＬ３における各条件式対応値を示す。
【０１１５】
（表１２）
ｎｄ２ａｐ１＝1.707
νｄ２ａｐ１＝45.98
ｎｄ２ａｎ１＝1.883
νｄ２ａｎ１＝40.66
ｆ２Ｆ＝38.51
[条件式対応値]
（１）Ｙｗ／｛２×ｆｗ×ｓｉｎ（θｗ／２）｝＝0.98
（２）Ｙｔ／｛２×ｆｔ×ｓｉｎ（θｔ／２）｝＝1.00
（３）θｗ＝89.1
（４）θｔ＝88.3
（５）ｎｄ２ａｎ１−ｎｄ２ａｐ１＝0.18
（６）νｄ２ａｐ１−νｄ２ａｎ１＝5.32
（７）｜ｆ２Ａ１｜／（−ｆ１）＝3.53
（８）｜ｆ２Ｂ１｜／（−ｆ１）＝3.71
（９）ｆ２／（−ｆ１）＝2.46
（１０）｜ｆ２Ｆ｜／（−ｆ１）＝3.53
（１１）（ｒ１＋ｒ２）／（ｒ１−ｒ２）＝1.30
（１２）Ｂｆｗ／ｆｗ＝4.7
（１３）ＴＬｗ／ｆｗ＝15.0
【０１１６】
このように、この魚眼ズームレンズＺＬ３は、上記条件式（１）〜（１３）を全て満足している。
【０１１７】
この魚眼ズームレンズＺＬ３の、無限遠合焦時の最短焦点距離状態及び最長焦点距離状態における球面収差図、非点収差図、歪曲収差図、倍率色収差図及びコマ収差図を図８（ａ）及び図９（ａ）に示し、至近合焦時の最短焦点距離状態及び最長焦点距離状態における球面収差図、非点収差図、歪曲収差図、倍率色収差図及びコマ収差図を図８（ｂ）及び図９（ｂ）に示す。これらの各収差図より、この魚眼ズームレンズＺＬ３は、最短焦点距離状態から最長焦点距離状態にわたって諸収差が良好に補正され、優れた結像性能を有することがわかる。
【０１１８】
［第４実施例］
図１０は、第４実施例に係る魚眼ズームレンズＺＬ４の構成を示す図である。この図１０に示す魚眼ズームレンズＺＬ４は、物体側から順に、負の屈折力を有する第１レンズ群Ｇ１と、正の屈折力を有する第２レンズ群Ｇ２と、から構成されている。また、第２レンズ群Ｇ２は、物体側から順に、正の屈折力を有する第２Ａレンズ群Ｇ２Ａと、正の屈折力を有する第２Ｂレンズ群Ｇ２Ｂとから構成されている。
【０１１９】
この魚眼ズームレンズＺＬ４において、第１レンズ群Ｇ１は、物体側から順に、物体側に凸面を向けた負メニスカスレンズＬ１１、物体側のレンズ面が非球面形状に形成された、物体側に凸面を向けた負メニスカスレンズ形状の負レンズＬ１２、両凹負レンズＬ１３、両凸正レンズＬ１４、及び、物体側に凹面を向けた負メニスカスレンズＬ１５で構成されている。また、第２レンズ群Ｇ２を構成する第２Ａレンズ群Ｇ２Ａは、物体側から順に、物体側に凹面を向けた負メニスカスレンズＬ２１、及び、両凸正レンズＬ２２で構成されている。また、第２レンズ群Ｇ２を構成する第２Ｂレンズ群Ｇ２Ｂは、物体側から順に、両凹負レンズＬ２３と両凸正レンズＬ２４とを接合した接合レンズ、両凸正レンズＬ２５と物体側に凹面を向けた負メニスカスレンズＬ２６とを接合した接合レンズ、及び、両凸正レンズＬ２９で構成されている。また、開口絞りＳは、第２レンズ群Ｇ２内の両凸正レンズＬ２２と両凹負レンズＬ２３との間に配置されている。
【０１２０】
この魚眼ズームレンズＺＬ４は、最短焦点距離状態から最長焦点距離状態への変倍に際し、第１レンズ群Ｇ１と第２レンズ群Ｇ２との間隔が減少するように、各レンズ群が光軸に沿って移動するように構成されている。なお、開口絞りＳは第２レンズ群Ｇ２と一体に移動する。
【０１２１】
また、この魚眼ズームレンズＺＬ４は、第２Ａレンズ群Ｇ２Ａを合焦レンズ群Ｇ２Ｆとし、無限遠から近距離物体への合焦は、この合焦レンズ群Ｇ２Ｆを像側に移動させることにより行うように構成されている。開口絞りＳは、合焦時は、像面Ｉに対して固定されている。
【０１２２】
以下の表１３に、魚眼ズームレンズＺＬ４の諸元の値を掲げる。なお、表１３に示す面番号１〜２６は、図１０に示す番号１〜２６に対応している。
【０１２３】
（表１３）第４実施例
［全体諸元］
最短焦点距離状態  中間焦点距離状態  最長焦点距離状態
ｆ      ＝   8.19920      〜  11.88237      〜  15.49860
ＦＮｏ  ＝   4.08383      〜   4.69320      〜   5.29206
θ      ＝  89.27824      〜  84.75147      〜  87.33028
Ｙ      ＝  11.20         〜  16.00         〜  21.60
ＴＬ    ＝ 123.15370      〜 120.91399      〜 123.96750
［レンズデータ］
ｍ        ｒ          ｄ      νｄ      ｎｄ
物面      ∞
1       69.8735     2.6000    54.62    1.729160
2       18.1503    12.0000
3*     122.8961     1.6100    67.05    1.592010
4       20.5255     6.7000
5      -51.6402     1.3600    67.87    1.593190
6       20.2017     2.0000
7       26.1683     6.0000    25.45    1.805180
8    -1441.0075     2.9186
9      -31.4447     1.2000    67.87    1.593190
10      -57.4943      D1
11      -16.9086     1.5000    54.61    1.729160
12      -21.1202     0.1000
13       59.2584     3.0000    50.84    1.658440
14      -23.5075      D2
15        0.0000     2.2000                        開口絞りＳ
16      -13.6713     0.8000    40.65    1.883000
17       22.6342     2.7500    58.82    1.518230
18      -15.9415     0.2000
19       15.2283     4.5000    38.05    1.603420
20      -10.8448     0.7000    40.65    1.883000
21      -16.1285     0.5000
22      -22.9655     0.7000    40.65    1.883000
23       13.3855     5.0000    82.56    1.497820
24      -15.3365     0.2000
25       74.1235     2.0000    65.44    1.603000
26     -129.2935      BF
像面      ∞
［レンズ群焦点距離］
レンズ群      始面    焦点距離
第１レンズ群      1      -11.02
第２レンズ群     11       27.28
第２Ａレンズ群   11       30.22
第２Ｂレンズ群   16       53.10
【０１２４】
この魚眼ズームレンズＺＬ４において、第３面は非球面形状に形成されている。次の表１４に、非球面のデータ、すなわち円錐定数Ｋ及び各非球面定数Ａ4〜Ａ10の値を示す。
【０１２５】
（表１４）
［非球面データ］
Ｋ       Ａ4           Ａ6           Ａ8           Ａ10
第 3面  1.0000   2.04342E-06  -1.19834E-08  -1.95003E-11   0.00000E+00
【０１２６】
この魚眼ズームレンズＺＬ４において、第１レンズ群Ｇ１と第２レンズ群Ｇ２との軸上空気間隔Ｄ１、及び、バックフォーカスＢＦは、上述したように、変倍時に変化する。また、合焦レンズ群Ｇ２Ｆの物体側の間隔Ｄ１及び像側の間隔Ｄ２は合焦時に変化する。次の表１５に、無限遠合焦状態及び至近合焦状態での最短焦点距離状態（Ｗ）、中間焦点距離状態（Ｍ）及び最長焦点距離状態（Ｔ）の各焦点距離状態における可変間隔を示す。
【０１２７】
（表１５）
［可変間隔データ］
無限遠                          至近
Ｗ         Ｍ         Ｔ        Ｗ         Ｍ         Ｔ
ｆ     8.19920   11.88237   15.49860
β                                     -0.03333   -0.03333   -0.03333
Ｄ０   0.0000     0.0000     0.0000   220.0199   334.8221   444.2525
Ｄ１  18.71670    7.35774    1.45774   19.72745    7.73955    1.72335
Ｄ２   3.48126    3.48126    3.48126    2.47051    3.09945    3.21565
ＢＦ  40.41711   49.53636   58.48987   40.41711   49.53636   58.48987
【０１２８】
次の表１６に、この魚眼ズームレンズＺＬ４における各条件式対応値を示す。
【０１２９】
（表１６）
ｎｄ２ａｐ１＝1.658
νｄ２ａｐ１＝50.84
ｎｄ２ａｎ１＝1.729
νｄ２ａｎ１＝54.61
ｆ２Ｆ＝30.22
[条件式対応値]
（１）Ｙｗ／｛２×ｆｗ×ｓｉｎ（θｗ／２）｝＝0.97
（２）Ｙｔ／｛２×ｆｔ×ｓｉｎ（θｔ／２）｝＝1.01
（３）θｗ＝89.3
（４）θｔ＝87.3
（５）ｎｄ２ａｎ１−ｎｄ２ａｐ１＝0.07
（６）νｄ２ａｐ１−νｄ２ａｎ１＝-3.77
（７）｜ｆ２Ａ１｜／（−ｆ１）＝2.74
（８）｜ｆ２Ｂ１｜／（−ｆ１）＝4.82
（９）ｆ２／（−ｆ１）＝2.48
（１０）｜ｆ２Ｆ｜／（−ｆ１）＝2.74
（１１）（ｒ１＋ｒ２）／（ｒ１−ｒ２）＝1.70
（１２）Ｂｆｗ／ｆｗ＝4.9
（１３）ＴＬｗ／ｆｗ＝15.0
【０１３０】
このように、この魚眼ズームレンズＺＬ４は、上記条件式（１）〜（１３）を全て満足している。
【０１３１】
この魚眼ズームレンズＺＬ４の、無限遠合焦時の最短焦点距離状態及び最長焦点距離状態における球面収差図、非点収差図、歪曲収差図、倍率色収差図及びコマ収差図を図１１（ａ）及び図１２（ａ）に示し、至近合焦時の最短焦点距離状態及び最長焦点距離状態における球面収差図、非点収差図、歪曲収差図、倍率色収差図及びコマ収差図を図１１（ｂ）及び図１２（ｂ）に示す。これらの各収差図より、この魚眼ズームレンズＺＬ４は、最短焦点距離状態から最長焦点距離状態にわたって諸収差が良好に補正され、優れた結像性能を有することがわかる。
【０１３２】
［第５実施例］
図１３は、第５実施例に係る魚眼ズームレンズＺＬ５の構成を示す図である。この図１３に示す魚眼ズームレンズＺＬ５は、物体側から順に、負の屈折力を有する第１レンズ群Ｇ１と、正の屈折力を有する第２レンズ群Ｇ２と、から構成されている。また、第２レンズ群Ｇ２は、物体側から順に、負の屈折力を有する第２Ａレンズ群Ｇ２Ａと、正の屈折力を有する第２Ｂレンズ群Ｇ２Ｂとから構成されている。
【０１３３】
この魚眼ズームレンズＺＬ５において、第１レンズ群Ｇ１は、物体側から順に、物体側に凸面を向けた負メニスカスレンズＬ１１、物体側のレンズ面が非球面形状に形成された、物体側に凸面を向けた負メニスカスレンズ形状の負レンズＬ１２、両凹負レンズＬ１３、両凸正レンズＬ１４、及び、物体側に凹面を向けた負メニスカスレンズＬ１５で構成されている。また、第２レンズ群Ｇ２を構成する第２Ａレンズ群Ｇ２Ａは、物体側から順に、両凸正レンズＬ２１、両凹負レンズＬ２２、両凸正レンズＬ２３、及び、両凹負レンズＬ２４と両凸正レンズＬ２５とを接合した接合レンズで構成されている。また、第２レンズ群Ｇ２を構成する第２Ｂレンズ群Ｇ２Ｂは、物体側から順に、両凸正レンズＬ２６、両凸正レンズＬ２７と物体側に凹面を向けた負メニスカスレンズＬ２８とを接合した接合レンズ、両凹負レンズＬ２９と両凸正レンズＬ２１０とを接合した接合レンズ、及び、物体側のレンズ面が非球面形状に形成された両凸正レンズ形状の正レンズＬ２１１で構成されている。また、開口絞りＳは、第２レンズ群Ｇ２内の両凸正レンズＬ２３と両凹負レンズＬ２４との間に配置されている。
【０１３４】
この魚眼ズームレンズＺＬ５は、最短焦点距離状態から最長焦点距離状態への変倍に際し、第１レンズ群Ｇ１と第２レンズ群Ｇ２との間隔が減少するように、各レンズ群が光軸に沿って移動するように構成されている。なお、開口絞りＳは第２レンズ群Ｇ２と一体に移動する。
【０１３５】
また、この魚眼ズームレンズＺＬ５は、第２Ａレンズ群Ｇ２Ａの像側の一部（両凹負レンズＬ２４と両凸正レンズＬ２５とを接合した接合レンズ）を合焦レンズ群Ｇ２Ｆとし、無限遠から近距離物体への合焦は、この合焦レンズ群Ｇ２Ｆを物体側に移動させることにより行うように構成されている。開口絞りＳは、合焦時は、像面Ｉに対して固定されている。
【０１３６】
以下の表１７に、魚眼ズームレンズＺＬ５の諸元の値を掲げる。なお、表１７に示す面番号１〜３０は、図１３に示す番号１〜３０に対応している。
【０１３７】
（表１７）第５実施例
［全体諸元］
最短焦点距離状態  中間焦点距離状態  最長焦点距離状態
ｆ      ＝   8.18000      〜  10.30000      〜  15.45003
ＦＮｏ  ＝   3.59334      〜   3.88220      〜   4.58448
θ      ＝  89.10809      〜  88.94882      〜  87.53164
Ｙ      ＝  11.20         〜  14.25         〜  21.60
ＴＬ    ＝ 131.02131      〜 127.68518      〜 129.30917
［レンズデータ］
ｍ        ｒ          ｄ      νｄ      ｎｄ
物面      ∞
1       68.0000     2.6000    49.62    1.772500
2       18.5000    11.5000
3*      45.9859     1.6000    55.52    1.696800
4       18.2370     7.7000
5      -45.4954     1.3600    55.52    1.696800
6      314.4427     0.5000
7       38.7826     6.0000    22.74    1.808090
8     -104.3746     2.0802
9      -27.6139     1.2000    55.52    1.696800
10     -263.7528      D1
11      302.7039     3.0000    55.52    1.696800
12      -24.0243     2.1000
13      -18.8570     0.7000    40.66    1.883000
14      227.2447     2.5000
15       35.3051     2.5000    47.14    1.670030
16      -31.9816     1.5000
17        0.0000      D2                          開口絞りＳ
18      -18.8254     0.7000    40.66    1.883000
19       45.7350     1.5000    22.74    1.808090
20      -57.6149      D3
21       60.6455     3.0000    82.57    1.497820
22      -21.3717     0.2000
23       44.1934     4.2000    82.57    1.497820
24      -17.3980     0.7000    35.73    1.902650
25      -36.2015     0.2000
26     -108.6883     0.7000    40.66    1.883000
27       47.2669     3.2000    82.57    1.497820
28      -35.0235     0.2000
29*      311.6713     2.3000    70.31    1.487490
30      -85.7503      BF
像面      ∞
［レンズ群焦点距離］
レンズ群      始面    焦点距離
第１レンズ群      1      -11.77
第２レンズ群     11       28.73
第２Ａレンズ群   11     -176.73
第２Ｂレンズ群   21       21.85
【０１３８】
この魚眼ズームレンズＺＬ５において、第３面及び第２９面は非球面形状に形成されている。次の表１８に、非球面のデータ、すなわち円錐定数Ｋ及び各非球面定数Ａ4〜Ａ10の値を示す。
【０１３９】
（表１８）
［非球面データ］
Ｋ       Ａ4           Ａ6           Ａ8           Ａ10
第 3面  1.0000   4.77529E-06  -1.56649E-09   2.48628E-11  -1.20711E-13
第29面  1.0000  -1.88754E-05   0.00000E+00   0.00000E+00   0.00000E+00
【０１４０】
この魚眼ズームレンズＺＬ５において、第１レンズ群Ｇ１と第２レンズ群Ｇ２との軸上空気間隔Ｄ１、及び、バックフォーカスＢＦは、上述したように、変倍時に変化する。また、合焦レンズ群Ｇ２Ｆの物体側の間隔Ｄ２及び像側の間隔Ｄ３は合焦時に変化する。次の表１９に、無限遠合焦状態及び至近合焦状態での最短焦点距離状態（Ｗ）、中間焦点距離状態（Ｍ）及び最長焦点距離状態（Ｔ）の各焦点距離状態における可変間隔を示す。
【０１４１】
（表１９）
［可変間隔データ］
無限遠                          至近
Ｗ         Ｍ         Ｔ        Ｗ         Ｍ         Ｔ
ｆ     8.18000   10.30000   15.45003
β                                     -0.03333   -0.03333   -0.03333
Ｄ０   0.0000     0.0000     0.0000   224.4249   288.2899   443.2046
Ｄ１  22.68837   14.17784    3.23184   22.68837   14.1778     3.23184
Ｄ２   4.52224    4.52224    4.52224    4.27868    4.32236    4.37601
Ｄ３   1.41850    1.41850    1.41850    1.66206    1.61839    1.56474
ＢＦ  38.65197   43.82638   56.39636   38.65197   43.82638   56.39636
【０１４２】
次の表２０に、この魚眼ズームレンズＺＬ５における各条件式対応値を示す。
【０１４３】
（表２０）
ｎｄ２ａｐ１＝1.725
νｄ２ａｐ１＝41.80
ｎｄ２ａｎ１＝1.883
νｄ２ａｎ１＝40.66
ｆ２Ｆ＝-29.64
[条件式対応値]
（１）Ｙｗ／｛２×ｆｗ×ｓｉｎ（θｗ／２）｝＝0.98
（２）Ｙｔ／｛２×ｆｔ×ｓｉｎ（θｔ／２）｝＝1.01
（３）θｗ＝89.1
（４）θｔ＝87.5
（５）ｎｄ２ａｎ１−ｎｄ２ａｐ１＝0.16
（６）νｄ２ａｐ１−νｄ２ａｎ１＝1.14
（７）｜ｆ２Ａ１｜／（−ｆ１）＝15.01
（８）｜ｆ２Ｂ１｜／（−ｆ１）＝1.86
（９）ｆ２／（−ｆ１）＝2.44
（１０）｜ｆ２Ｆ｜／（−ｆ１）＝2.52
（１１）（ｒ１＋ｒ２）／（ｒ１−ｒ２）＝1.75
（１２）Ｂｆｗ／ｆｗ＝4.7
（１３）ＴＬｗ／ｆｗ＝16.0
【０１４４】
このように、この魚眼ズームレンズＺＬ５は、上記条件式（１）〜（１３）を全て満足している。
【０１４５】
この魚眼ズームレンズＺＬ５の、無限遠合焦時の最短焦点距離状態及び最長焦点距離状態における球面収差図、非点収差図、歪曲収差図、倍率色収差図及びコマ収差図を図１４（ａ）及び図１５（ａ）に示し、至近合焦時の最短焦点距離状態及び最長焦点距離状態における球面収差図、非点収差図、歪曲収差図、倍率色収差図及びコマ収差図を図１４（ｂ）及び図１５（ｂ）に示す。これらの各収差図より、この魚眼ズームレンズＺＬ５は、最短焦点距離状態から最長焦点距離状態にわたって諸収差が良好に補正され、優れた結像性能を有することがわかる。
【０１４６】
［第６実施例］
図１６は、第６実施例に係る魚眼ズームレンズＺＬ６の構成を示す図である。この図１６に示す魚眼ズームレンズＺＬ６は、物体側から順に、負の屈折力を有する第１レンズ群Ｇ１と、正の屈折力を有する第２レンズ群Ｇ２と、から構成されている。また、第２レンズ群Ｇ２は、物体側から順に、負の屈折力を有する第２Ａレンズ群Ｇ２Ａと、正の屈折力を有する第２Ｂレンズ群Ｇ２Ｂとから構成されている。
【０１４７】
この魚眼ズームレンズＺＬ５において、第１レンズ群Ｇ１は、物体側から順に、物体側に凸面を向けた負メニスカスレンズＬ１１、物体側のレンズ面が非球面形状に形成された、物体側に凸面を向けた負メニスカスレンズ形状の負レンズＬ１２、両凹負レンズＬ１３、両凸正レンズＬ１４、及び、物体側に凹面を向けた負メニスカスレンズＬ１５で構成されている。また、第２レンズ群Ｇ２を構成する第２Ａレンズ群Ｇ２Ａは、物体側から順に、両凸正レンズＬ２１と物体側に凹面を向けた負メニスカスレンズＬ２２とを接合した接合レンズ、及び、両凹負レンズＬ２３と両凸正レンズＬ２４とを接合した接合レンズで構成されている。また、第２レンズ群Ｇ２を構成する第２Ｂレンズ群Ｇ２Ｂは、物体側から順に、両凸正レンズＬ２５、両凸正レンズＬ２６と物体側に凹面を向けた負メニスカスレンズＬ２７とを接合した接合レンズ、物体側に凸面を向けた負メニスカスレンズＬ２８と両凸正レンズＬ２９とを接合した接合レンズ、及び、物体側のレンズ面が非球面形状に形成された両凸正レンズ形状の正レンズＬ２１０で構成されている。また、開口絞りＳは、第２レンズ群Ｇ２内の負メニスカスレンズＬ２２と両凹負レンズＬ２３との間に配置されている。
【０１４８】
この魚眼ズームレンズＺＬ６は、最短焦点距離状態から最長焦点距離状態への変倍に際し、第１レンズ群Ｇ１と第２レンズ群Ｇ２との間隔が減少するように、各レンズ群が光軸に沿って移動するように構成されている。なお、開口絞りＳは第２レンズ群Ｇ２と一体に移動する。
【０１４９】
また、この魚眼ズームレンズＺＬ６は、第２Ａレンズ群Ｇ２Ａの像側の一部（両凹負レンズＬ２３と両凸正レンズＬ２４とを接合した接合レンズ）を合焦レンズ群Ｇ２Ｆとし、無限遠から近距離物体への合焦は、この合焦レンズ群Ｇ２Ｆを物体側に移動させることにより行うように構成されている。開口絞りＳは、合焦時は、像面Ｉに対して固定されている。
【０１５０】
以下の表２１に、魚眼ズームレンズＺＬ６の諸元の値を掲げる。なお、表２１に示す面番号１〜２７は、図１６に示す番号１〜２７に対応している。
【０１５１】
（表２１）第６実施例
［全体諸元］
最短焦点距離状態  中間焦点距離状態  最長焦点距離状態
ｆ      ＝   5.23221      〜  10.29999      〜  15.45009
ＦＮｏ  ＝   3.23577      〜   3.90752      〜   4.61452
θ      ＝  89.02441      〜  88.91460      〜  87.58244
Ｙ      ＝   7.00         〜  14.25         〜  21.60
ＴＬ    ＝ 147.34818      〜 127.56911      〜 129.38254
［レンズデータ］
ｍ        ｒ          ｄ      νｄ      ｎｄ
物面      ∞
1       68.0000     2.6000    49.62    1.772500
2       18.5000    11.5000
3*      60.0000     1.6000    55.52    1.696800
4       17.7450     8.0000
5      -60.0000     1.3600    67.00    1.593493
6       57.2805     0.5000
7       32.9480     6.0000    25.64    1.784720
8      -80.2775     2.0802
9      -28.1866     1.2000    55.52    1.696800
10     -226.5056      D1
11       26.8466     2.5000    70.32    1.487490
12      -30.2409     0.7000    40.66    1.883000
13      -34.5886     1.5000
14        0.0000      D2                          開口絞りＳ
15      -18.4423     0.7000    40.66    1.883000
16       29.4508     1.5000    22.74    1.808090
17     -129.3793      D3
18       95.2550     2.5000    82.57    1.497820
19      -24.5125     0.2000
20       44.7222     3.5000    82.57    1.497820
21      -21.8057     0.7000    40.66    1.883000
22      -50.5999     0.2000
23      879.7895     0.7000    35.72    1.902650
24       32.0000     5.0000    82.57    1.497820
25      -26.5122     0.2000
26*     225.0000     2.3000    70.32    1.487490
27      -80.0000      BF
像面      ∞
［レンズ群焦点距離］
レンズ群      始面    焦点距離
第１レンズ群      1      -11.70
第２レンズ群     11       29.62
第２Ａレンズ群   11     -251.62
第２Ｂレンズ群   18       21.42
【０１５２】
この魚眼ズームレンズＺＬ６において、第３面及び第２６面は非球面形状に形成されている。次の表２２に、非球面のデータ、すなわち円錐定数Ｋ及び各非球面定数Ａ4〜Ａ10の値を示す。
【０１５３】
（表２２）
［非球面データ］
Ｋ       Ａ4           Ａ6           Ａ8           Ａ10
第 3面  1.0000  -9.39166E-07   1.76857E-08  -7.16338E-11   6.26142E-14
第26面  1.0000  -1.28479E-05   0.00000E+00   0.00000E+00   0.00000E+00
【０１５４】
この魚眼ズームレンズＺＬ６において、第１レンズ群Ｇ１と第２レンズ群Ｇ２との軸上空気間隔Ｄ１、及び、バックフォーカスＢＦは、上述したように、変倍時に変化する。また、合焦レンズ群Ｇ２Ｆの物体側の間隔Ｄ２及び像側の間隔Ｄ３は合焦時に変化する。次の表２３に、無限遠合焦状態及び至近合焦状態での最短焦点距離状態（Ｗ）、中間焦点距離状態（Ｍ）及び最長焦点距離状態（Ｔ）の各焦点距離状態における可変間隔を示す。
【０１５５】
（表２３）
［可変間隔データ］
無限遠                          至近
Ｗ         Ｍ         Ｔ        Ｗ         Ｍ         Ｔ
ｆ     5.23221   10.29999   15.45009
β                                     -0.03333   -0.03333   -0.03333
Ｄ０   0.0000     0.0000     0.0000   129.3468   287.7536   442.9204
Ｄ１  53.35611   20.75070    9.52944   53.35611   20.75070    9.52944
Ｄ２   4.90043    4.90043    4.90043    3.64427    4.68676    4.76281
Ｄ３   1.01235    1.01235    1.01235    2.26851    1.22602    1.14997
ＢＦ  31.03908   43.86543   56.90011   31.03909   43.86544   56.90012 
【０１５６】
次の表２４に、この魚眼ズームレンズＺＬ６における各条件式対応値を示す。
【０１５７】
（表２４）
ｎｄ２ａｐ１＝1.648
νｄ２ａｐ１＝46.53
ｎｄ２ａｎ１＝1.883
νｄ２ａｎ１＝40.66
ｆ２Ｆ＝-22.81
[条件式対応値]
（１）Ｙｗ／｛２×ｆｗ×ｓｉｎ（θｗ／２）｝＝0.95
（２）Ｙｔ／｛２×ｆｔ×ｓｉｎ（θｔ／２）｝＝1.01
（３）θｗ＝89.0
（４）θｔ＝87.6
（５）ｎｄ２ａｎ１−ｎｄ２ａｐ１＝0.24
（６）νｄ２ａｐ１−νｄ２ａｎ１＝5.87
（７）｜ｆ２Ａ１｜／（−ｆ１）＝21.50
（８）｜ｆ２Ｂ１｜／（−ｆ１）＝1.83
（９）ｆ２／（−ｆ１）＝2.53
（１０）｜ｆ２Ｆ｜／（−ｆ１）＝1.95
（１１）（ｒ１＋ｒ２）／（ｒ１−ｒ２）＝1.75
（１２）Ｂｆｗ／ｆｗ＝5.9
（１３）ＴＬｗ／ｆｗ＝28.2
【０１５８】
このように、この魚眼ズームレンズＺＬ６は、上記条件式（１）〜（１３）を全て満足している。
【０１５９】
この魚眼ズームレンズＺＬ６の、無限遠合焦時の最短焦点距離状態及び最長焦点距離状態における球面収差図、非点収差図、歪曲収差図、倍率色収差図及びコマ収差図を図１７（ａ）及び図１８（ａ）に示し、至近合焦時の最短焦点距離状態及び最長焦点距離状態における球面収差図、非点収差図、歪曲収差図、倍率色収差図及びコマ収差図を図１７（ｂ）及び図１８（ｂ）に示す。これらの各収差図より、この魚眼ズームレンズＺＬ６は、最短焦点距離状態から最長焦点距離状態にわたって諸収差が良好に補正され、優れた結像性能を有することがわかる。
【０１６０】
［第７実施例］
図１９は、第７実施例に係る魚眼ズームレンズＺＬ７の構成を示す図である。この図１９に示す魚眼ズームレンズＺＬ７は、物体側から順に、負の屈折力を有する第１レンズ群Ｇ１と、正の屈折力を有する第２レンズ群Ｇ２と、から構成されている。また、第２レンズ群Ｇ２は、物体側から順に、正の屈折力を有する第２Ａレンズ群Ｇ２Ａと、正の屈折力を有する第２Ｂレンズ群Ｇ２Ｂとから構成されている。
【０１６１】
この魚眼ズームレンズＺＬ７において、第１レンズ群Ｇ１は、物体側から順に、物体側に凸面を向けた負メニスカスレンズＬ１１、物体側に凸面を向けた負メニスカスレンズの物体側のレンズ面に樹脂層を設けて非球面形状が形成された負レンズＬ２１、両凹負レンズＬ１３、両凸正レンズＬ１４、及び、物体側に凹面を向けた負メニスカスレンズＬ１５で構成されている。また、第２レンズ群Ｇ２を構成する第２Ａレンズ群Ｇ２Ａは、物体側から順に、物体側に凸面を向けた正メニスカスレンズＬ２１、両凹負レンズＬ２２、及び、両凸正レンズＬ２３で構成されている。また、第２レンズ群Ｇ２を構成する第２Ｂレンズ群Ｇ２Ｂは、物体側から順に、物体側に凹面を向けた正メニスカスレンズＬ２４と物体側に凹面を向けた負メニスカスレンズＬ２５とを接合した接合レンズ、両凸正レンズＬ２６と両凹負レンズＬ２７とを接合した接合レンズ、物体側に凹面を向けた正メニスカスレンズＬ２８、物体側に凸面を向けた負メニスカスレンズＬ２９と両凸正レンズＬ２１０とを接合した接合レンズ、及び、両凸正レンズＬ２１１で構成されている。また、開口絞りＳは、第２レンズ群Ｇ２内の両凸正レンズＬ２３と正メニスカスレンズＬ２４との間に配置されている。
【０１６２】
この魚眼ズームレンズＺＬ７は、最短焦点距離状態から最長焦点距離状態への変倍に際し、第１レンズ群Ｇ１と第２レンズ群Ｇ２との間隔が減少するように、各レンズ群が光軸に沿って移動するように構成されている。なお、開口絞りＳは第２レンズ群Ｇ２と一体に移動する。
【０１６３】
また、この魚眼ズームレンズＺＬ７は、第２Ａレンズ群Ｇ２Ａの像側の一部（両凸正レンズＬ２３）を合焦レンズ群Ｇ２Ｆとし、無限遠から近距離物体への合焦は、この合焦レンズ群Ｇ２Ｆを像側に移動させることにより行うように構成されている。開口絞りＳは、合焦時は、像面Ｉに対して固定されている。
【０１６４】
以下の表２５に、魚眼ズームレンズＺＬ７の諸元の値を掲げる。なお、表２５に示す面番号１〜３１は、図１９に示す番号１〜３１に対応している。
【０１６５】
（表２５）第７実施例
［全体諸元］
最短焦点距離状態  中間焦点距離状態  最長焦点距離状態
ｆ      ＝   8.18000      〜  10.29999      〜  15.44986
ＦＮｏ  ＝   3.52617      〜   3.81480      〜   4.51614
θ      ＝  89.12889      〜  88.96674      〜  87.58446
Ｙ      ＝  11.20         〜  14.25         〜  21.60
ＴＬ    ＝ 130.43790      〜 126.74513      〜 127.92269 
［レンズデータ］
ｍ        ｒ          ｄ      νｄ      ｎｄ
物面      ∞
1       67.5793     2.6000    49.62    1.772500
2       18.5261    11.5000
3*      43.9078     0.1500    36.64    1.560930
4       43.9078     1.6000    55.52    1.696800
5       21.1562     6.7000
6      -52.5032     1.3600    55.52    1.696800
7       60.4041     2.0000
8       44.3921     6.0000    22.74    1.808090
9      -75.1106     2.0000
10      -25.4804     1.2000    66.99    1.593490
11     -275.5450      D1
12       26.6489     2.0000    46.78    1.766840
13      379.7263     2.6152
14      -70.8234     0.8000    40.66    1.883000
15       30.8519      D2
16      351.8795     2.0000    46.78    1.766840
17      -21.3165      D3
18        0.0000     1.6508                        開口絞りＳ
19      -16.3376     2.0000    58.82    1.518230
20      -10.0731     0.8000    40.66    1.883000
21      -21.6179     0.2000
22       24.6482     4.0000    38.03    1.603420
23      -16.6512     0.7000    40.66    1.883000
24       57.6897     1.0000
25      -51.8257     3.0000    82.57    1.497820
26      -14.6027     0.5000
27       58.1781     0.7000    35.73    1.902650
28       24.5283     5.0000    82.57    1.497820
29      -32.2671     0.2000
30      225.0000     2.3000    70.31    1.487490
31      -80.0000      BF
像面      ∞
［レンズ群焦点距離］
レンズ群      始面    焦点距離
第１レンズ群      1      -12.01
第２レンズ群     12       29.38
第２Ａレンズ群   12       39.44
第２Ｂレンズ群   19       41.74
【０１６６】
この魚眼ズームレンズＺＬ７において、第３面は非球面形状に形成されている。次の表２６に、非球面のデータ、すなわち円錐定数Ｋ及び各非球面定数Ａ4〜Ａ10の値を示す。
【０１６７】
（表２６）
［非球面データ］
Ｋ       Ａ4           Ａ6           Ａ8           Ａ10
第 3面  1.0000   6.57469E-06  -9.54767E-09   5.22458E-12   0.00000E+00
【０１６８】
この魚眼ズームレンズＺＬ７において、第１レンズ群Ｇ１と第２レンズ群Ｇ２との軸上空気間隔Ｄ１、及び、バックフォーカスＢＦは、上述したように、変倍時に変化する。また、合焦レンズ群Ｇ２Ｆの物体側の間隔Ｄ２及び像側の間隔Ｄ３は合焦時に変化する。次の表２７に、無限遠合焦状態及び至近合焦状態での最短焦点距離状態（Ｗ）、中間焦点距離状態（Ｍ）及び最長焦点距離状態（Ｔ）の各焦点距離状態における可変間隔を示す。
【０１６９】
（表２７）
［可変間隔データ］
無限遠                          至近
Ｗ         Ｍ         Ｔ        Ｗ         Ｍ         Ｔ
ｆ     8.18000     10.29999   15.44986
β                                     -0.03330   -0.03330   -0.03330
Ｄ０   0.0000     0.0000     0.0000   224.5645   288.5402   443.7249
Ｄ１  21.79491   12.91688    1.49839   21.79491   12.91688    1.49839
Ｄ２   2.41057    2.41057    2.41057    2.63864    2.60315    2.55887
Ｄ３   3.15659    3.15659    3.15659    2.92852    2.96401    3.00829
ＢＦ  38.49983   43.68510   56.28115   38.49983   43.68510   56.28115
【０１７０】
次の表２８に、この魚眼ズームレンズＺＬ７における各条件式対応値を示す。
【０１７１】
（表２８）
ｎｄ２ａｐ１＝1.767
νｄ２ａｐ１＝46.78
ｎｄ２ａｎ１＝1.883
νｄ２ａｎ１＝40.66
ｆ２Ｆ＝26.26
[条件式対応値]
（１）Ｙｗ／｛２×ｆｗ×ｓｉｎ（θｗ／２）｝＝0.98
（２）Ｙｔ／｛２×ｆｔ×ｓｉｎ（θｔ／２）｝＝1.01
（３）θｗ＝89.1
（４）θｔ＝87.6
（５）ｎｄ２ａｎ１−ｎｄ２ａｐ１＝0.12
（６）νｄ２ａｐ１−νｄ２ａｎ１＝6.12
（７）｜ｆ２Ａ１｜／（−ｆ１）＝3.28
（８）｜ｆ２Ｂ１｜／（−ｆ１）＝3.48
（９）ｆ２／（−ｆ１）＝2.45
（１０）｜ｆ２Ｆ｜／（−ｆ１）＝2.19
（１１）（ｒ１＋ｒ２）／（ｒ１−ｒ２）＝1.76
（１２）Ｂｆｗ／ｆｗ＝4.7
（１３）ＴＬｗ／ｆｗ＝15.9
【０１７２】
このように、この魚眼ズームレンズＺＬ７は、上記条件式（１）〜（１３）を全て満足している。
【０１７３】
この魚眼ズームレンズＺＬ７の、無限遠合焦時の最短焦点距離状態及び最長焦点距離状態における球面収差図、非点収差図、歪曲収差図、倍率色収差図及びコマ収差図を図２０（ａ）及び図２１（ａ）に示し、至近合焦時の最短焦点距離状態及び最長焦点距離状態における球面収差図、非点収差図、歪曲収差図、倍率色収差図及びコマ収差図を図２０（ｂ）及び図２１（ｂ）に示す。これらの各収差図より、この魚眼ズームレンズＺＬ７は、最短焦点距離状態から最長焦点距離状態にわたって諸収差が良好に補正され、優れた結像性能を有することがわかる。
【０１７４】
［第８実施例］
図２２は、第８実施例に係る魚眼ズームレンズＺＬ８の構成を示す図である。この図２２に示す魚眼ズームレンズＺＬ８は、物体側から順に、負の屈折力を有する第１レンズ群Ｇ１と、正の屈折力を有する第２レンズ群Ｇ２と、正の屈折力を有する第３レンズ群Ｇ３と、から構成されている。また、第２レンズ群Ｇ２は、物体側から順に、正の屈折力を有する第２Ａレンズ群Ｇ２Ａと、正の屈折力を有する第２Ｂレンズ群Ｇ２Ｂとから構成されている。
【０１７５】
この魚眼ズームレンズＺＬ８において、第１レンズ群Ｇ１は、物体側から順に、物体側に凸面を向けた負メニスカスレンズＬ１１、物体側に凸面を向けた負メニスカスレンズの物体側のレンズ面に樹脂層を設けて非球面形状が形成された負レンズＬ２１、両凹負レンズＬ１３、両凸正レンズＬ１４、及び、物体側に凹面を向けた負メニスカスレンズＬ１５で構成されている。また、第２レンズ群Ｇ２を構成する第２Ａレンズ群Ｇ２Ａは、物体側から順に、物体側に凸面を向けた正メニスカスレンズＬ２１、両凹負レンズＬ２２、及び、両凸正レンズＬ２３で構成されている。また、第２レンズ群Ｇ２を構成する第２Ｂレンズ群Ｇ２Ｂは、物体側から順に、物体側に凹面を向けた正メニスカスレンズＬ２４と物体側に凹面を向けた負メニスカスレンズＬ２５とを接合した接合レンズから構成されている。また、第３レンズ群Ｇ３は、物体側から順に、両凸正レンズＬ３１と両凹負レンズＬ３２とを接合した接合レンズ、物体側に凹面を向けた正メニスカスレンズＬ３３、物体側に凸面を向けた負メニスカスレンズＬ３４と両凸正レンズＬ３５とを接合した接合レンズ、及び、両凸正レンズＬ３６で構成されている。また、開口絞りＳは、第２レンズ群Ｇ２内の両凸正レンズＬ２３と正メニスカスレンズＬ２４との間に配置されている。
【０１７６】
この魚眼ズームレンズＺＬ８は、最短焦点距離状態から最長焦点距離状態への変倍に際し、第１レンズ群Ｇ１と第２レンズ群Ｇ２との間隔が減少し、第２レンズ群Ｇ２と第３レンズ群Ｇ３との間隔が減少するように、各レンズ群が光軸に沿って移動するように構成されている。なお、開口絞りＳは第２レンズ群Ｇ２と一体に移動する。
【０１７７】
また、この魚眼ズームレンズＺＬ７は、第２Ａレンズ群Ｇ２Ａの像側の一部（両凸正レンズＬ２３）を合焦レンズ群Ｇ２Ｆとし、無限遠から近距離物体への合焦は、この合焦レンズ群Ｇ２Ｆを像側に移動させることにより行うように構成されている。開口絞りＳは、合焦時は、像面Ｉに対して固定されている。
【０１７８】
以下の表２９に、魚眼ズームレンズＺＬ８の諸元の値を掲げる。なお、表２９に示す面番号１〜３１は、図２２に示す番号１〜３１に対応している。
【０１７９】
（表２９）第８実施例
［全体諸元］
最短焦点距離状態  中間焦点距離状態  最長焦点距離状態
ｆ      ＝   8.18000      〜  10.29999      〜  15.44994
ＦＮｏ  ＝   3.64834      〜   3.93404      〜   4.65980
θ      ＝  89.12962      〜  89.13802      〜  87.58354
Ｙ      ＝  11.20         〜  14.25         〜  21.60
ＴＬ    ＝  93.47274      〜  84.28306      〜  72.50394
［レンズデータ］
ｍ        ｒ          ｄ      νｄ      ｎｄ
物面      ∞
1       67.5793     2.6000    49.62    1.772500
2       18.5261    11.5000
3*      43.9078     0.1500    36.64    1.560930
4       43.9078     1.6000    55.52    1.696800
5       21.1562     6.7000
6      -52.5032     1.3600    55.52    1.696800
7       60.4041     2.0000
8       38.6922     6.0000    22.74    1.808090
9     -105.3547     2.0000
10      -26.8571     1.2000    67.00    1.593493
11     -233.2485      D1
12       19.6790     2.0000    46.78    1.766840
13       27.1930     1.8638
14     -302.2340     0.8000    40.66    1.883000
15       37.1795      D2
16       96.0440     2.0000    46.78    1.766840
17      -25.2532      D3
18        0.0000     1.6508                        開口絞りＳ
19      -16.5086     2.0000    58.82    1.518230
20      -10.3607     0.8000    40.66    1.883000
21      -20.1791      D4
22       21.5497     4.0000    38.03    1.603420
23      -20.9580     0.7000    40.66    1.883000
24       37.7355     1.0000
25     -271.4365     3.0000    82.57    1.497820
26      -18.9418     0.5000
27       72.8898     0.7000    35.72    1.902650
28       24.1266     5.0000    82.57    1.497820
29      -29.2582     0.2000
30      225.0000     2.3000    70.32    1.487490
31      -80.0000      BF
像面      ∞
［レンズ群焦点距離］
レンズ群      始面    焦点距離
第１レンズ群      1      -12.35
第２レンズ群     12      181.02
第２Ａレンズ群   12       41.08
第２Ｂレンズ群   19      -47.12
第３レンズ群     22       28.44
【０１８０】
この魚眼ズームレンズＺＬ８において、第３面は非球面形状に形成されている。次の表３０に、非球面のデータ、すなわち円錐定数Ｋ及び各非球面定数Ａ4〜Ａ10の値を示す。
【０１８１】
（表３０）
［非球面データ］
Ｋ       Ａ4           Ａ6           Ａ8           Ａ10
第 3面  1.0000   4.92189E-06  -8.01402E-09   5.22458E-12   0.00000E+00
【０１８２】
この魚眼ズームレンズＺＬ８において、第１レンズ群Ｇ１と第２レンズ群Ｇ２との軸上空気間隔Ｄ１、第２レンズ群Ｇ２と第３レンズ群Ｇ３との軸上空気間隔Ｄ４、及び、バックフォーカスＢＦは、上述したように、変倍時に変化する。また、合焦レンズ群Ｇ２Ｆの物体側の間隔Ｄ２及び像側の間隔Ｄ３は合焦時に変化する。次の表３１に、無限遠合焦状態及び至近合焦状態での最短焦点距離状態（Ｗ）、中間焦点距離状態（Ｍ）及び最長焦点距離状態（Ｔ）の各焦点距離状態における可変間隔を示す。
【０１８３】
（表３１）
［可変間隔データ］
無限遠                          至近
Ｗ         Ｍ         Ｔ        Ｗ         Ｍ         Ｔ
ｆ     8.18000   10.29999   15.44994
β                                     -0.03330   -0.03330   -0.03330
Ｄ０   0.0000     0.0000     0.0000   224.7104   288.6622   443.8374
Ｄ１  21.47751   12.64744    1.50470   21.47751   12.64744    1.50470
Ｄ２   2.67777    2.67777    2.67777    2.88863    2.86216    2.82479
Ｄ３   3.19466    3.19466    3.19466    2.98380    3.01027    3.04764
Ｄ４   2.49821    2.13861    1.50223    2.49821    2.13861    1.50223
ＢＦ  38.49914   43.51123   55.64466   38.49914   43.51123   55.64466 
【０１８４】
次の表３２に、この魚眼ズームレンズＺＬ８における各条件式対応値を示す。
【０１８５】
（表３２）
ｎｄ２ａｐ１＝1.767
νｄ２ａｐ１＝46.78
ｎｄ２ａｎ１＝1.883
νｄ２ａｎ１＝40.66
ｆ２Ｆ＝26.26
[条件式対応値]
（１）Ｙｗ／｛２×ｆｗ×ｓｉｎ（θｗ／２）｝＝0.98
（２）Ｙｔ／｛２×ｆｔ×ｓｉｎ（θｔ／２）｝＝1.01
（３）θｗ＝89.1
（４）θｔ＝87.6
（５）ｎｄ２ａｎ１−ｎｄ２ａｐ１＝0.12
（６）νｄ２ａｐ１−νｄ２ａｎ１＝6.12
（７）｜ｆ２Ａ１｜／（−ｆ１）＝3.33
（８）｜ｆ２Ｂ１｜／（−ｆ１）＝3.82
（９）ｆ２／（−ｆ１）＝14.66
（１０）｜ｆ２Ｆ｜／（−ｆ１）＝2.13
（１１）（ｒ１＋ｒ２）／（ｒ１−ｒ２）＝1.76
（１２）Ｂｆｗ／ｆｗ＝4.7
（１３）ＴＬｗ／ｆｗ＝16.1
【０１８６】
このように、この魚眼ズームレンズＺＬ８は、上記条件式（１）〜（１３）を全て満足している。
【０１８７】
この魚眼ズームレンズＺＬ８の、無限遠合焦時の最短焦点距離状態及び最長焦点距離状態における球面収差図、非点収差図、歪曲収差図、倍率色収差図及びコマ収差図を図２３（ａ）及び図２４（ａ）に示し、至近合焦時の最短焦点距離状態及び最長焦点距離状態における球面収差図、非点収差図、歪曲収差図、倍率色収差図及びコマ収差図を図２３（ｂ）及び図２４（ｂ）に示す。これらの各収差図より、この魚眼ズームレンズＺＬ８は、最短焦点距離状態から最長焦点距離状態にわたって諸収差が良好に補正され、優れた結像性能を有することがわかる。
【符号の説明】
【０１８８】
ＺＬ（ＺＬ１〜ＺＬ８）  魚眼ズームレンズ    Ｇ１  第１レンズ群
Ｇ２  第２レンズ群    Ｇ２Ａ  第２Ａレンズ群    Ｇ２Ｂ  第２Ｂレンズ群
Ｇ２Ｆ  合焦レンズ群    １  カメラ（光学機器）
【図１】
0006623651.tif 000002
【図２】
0006623651.tif 000003
【図３】
0006623651.tif 000004
【図４】
0006623651.tif 000005
【図５】
0006623651.tif 000006
【図６】
0006623651.tif 000007
【図７】
0006623651.tif 000008
【図８】
0006623651.tif 000009
【図９】
0006623651.tif 000010
【図１０】
0006623651.tif 000011
【図１１】
0006623651.tif 000012
【図１２】
0006623651.tif 000013
【図１３】
0006623651.tif 000014
【図１４】
0006623651.tif 000015
【図１５】
0006623651.tif 000016
【図１６】
0006623651.tif 000017
【図１７】
0006623651.tif 000018
【図１８】
0006623651.tif 000019
【図１９】
0006623651.tif 000020
【図２０】
0006623651.tif 000021
【図２１】
0006623651.tif 000022
【図２２】
0006623651.tif 000023
【図２３】
0006623651.tif 000024
【図２４】
0006623651.tif 000025
【図２５】
0006623651.tif 000026
【図２６】
0006623651.tif 000027